(57)【要約】【課題】熱歪材料に応力を付与して空気の湿度を調節する調湿装置において、調湿運転の運転が停止時における、熱歪材料の吸着剤の表面での菌やカビの繁殖を防止する。【解決手段】調湿装置（1）は、調湿運転の停止信号が入力される入力部（34）と、入力部（34）に上記停止信号が入力された後に、熱歪材料（21）の吸着層（23）を乾燥させる乾燥動作を行う乾燥手段（22,30,30a,30b,35,36,37,D1〜D8）とを備える。【選択図】図１６
2014095543.tif 000002
【特許請求の範囲】
【請求項１】
水分を吸着する吸着層（23）を表面に形成した熱歪材料（21）と、該熱歪材料（21）に応力を付与するアクチュエータ（22,120）とを有する調湿モジュール（20,20a,20b）と、該熱歪材料（21）に空気を通過させるファン（30,30a,30b）と、上記該熱歪材料（21）に応力を付与して吸着層（23）から空気中へ水分を脱離させる放湿動作と、該熱歪材料（21）の応力を解除して吸着層（23）に空気中の水分を吸着させる吸湿動作とを行うように上記アクチュエータ（22,120）を制御するアクチュエータ制御部（35）とを備え、上記調湿モジュール（20,20a,20b）で空気の湿度を調節する調湿運転を行う調湿装置であって、
上記調湿運転の停止信号が入力される入力部（34）と、
上記入力部（34）に上記停止信号が入力された後に、上記熱歪材料（21）の吸着層（23）を乾燥させる乾燥動作を行う乾燥手段（22,30,30a,30b,35,36,37,D1〜D8）とを備えている
ことを特徴とする調湿装置。
【請求項２】
請求項１において、
上記乾燥手段は、上記アクチュエータ（22）と、上記熱歪材料（21）に応力を付与するように上記アクチュエータ（22）を制御するアクチュエータ制御部（35）を備えている
ことを特徴とする調湿装置。
【請求項３】
請求項２において、
上記乾燥手段は、応力が付与された上記熱歪材料（21）に空気を通過させる空気搬送機構（30,30a,30b,36）を備えている
ことを特徴とする調湿装置。
【請求項４】
請求項３において、
上記調湿モジュール（20,20a,20b）は、該調湿モジュール（20,20a,20b）で除湿した空気を室内へ供給する上記調湿運転としての除湿運転を行うように構成され、
上記空気搬送機構（30,30a,30b,36）は、上記入力部（34）に上記除湿運転の停止信号が入力されると、応力が付与された上記熱歪材料（21）に室内空気を通過させる
ことを特徴とする調湿装置。
【請求項５】
請求項３において、
上記調湿モジュール（20,20a,20b）は、該調湿モジュール（20,20a,20b）で加湿した空気を室内へ供給する上記調湿運転としての加湿運転を行うように構成され、
上記空気搬送機構（30,30a,30b,36）は、上記入力部（34）に上記加湿運転の停止信号が入力されると、上記乾燥動作時に応力が付与された上記熱歪材料（21）に室外空気を通過させる
ことを特徴とする調湿装置。
【請求項６】
請求項２において、
上記乾燥手段は、応力が付与された熱歪材料（21）の空気の通過を禁止させる空気流通禁止機構（37,D1〜D8）と、該空気流通禁止機構（37,D1〜D8）で熱歪材料（21）の空気の通過を禁止した後、該熱歪材料（21）の周囲の空気を室外へ排出する空気排出機構（30b）とを備えている
ことを特徴とする調湿装置。
【請求項７】
請求項６において、
上記空気流通禁止機構は、上記熱歪材料（21）が収容される調湿室（C1,C2）を閉空間とするダンパ機構（37,D1〜D8）を備えている
ことを特徴とする調湿装置。
【請求項８】
請求項２乃至７のいずれか１つにおいて、
上記アクチュエータ制御部（35）は、上記乾燥動作の後に上記ファン（30,30a,30b）が停止状態になると、上記熱歪材料（21）の応力を解除するように上記アクチュエータ（22）を制御する
ことを特徴とする調湿装置。
【請求項９】
請求項１において、
上記乾燥手段は、上記熱歪材料（21）に空気を通過させる空気搬送機構（30,36）を備えている
ことを特徴とする調湿装置。
【請求項１０】
請求項９において、
上記調湿モジュール（20,20a,20b）は、該調湿モジュール（20,20a,20b）で除湿した空気を室内へ供給する上記調湿運転としての除湿運転を行うように構成され、
上記空気搬送機構（30,36）は、上記入力部（34）に上記除湿運転の停止信号が入力されると、上記熱歪材料（21）に室内空気を通過させる
ことを特徴とする調湿装置。
【請求項１１】
請求項９において、
上記調湿モジュール（20,20a,20b）は、該調湿モジュール（20,20a,20b）で加湿した空気を室内へ供給する上記調湿運転としての加湿運転を行うように構成され、
上記空気搬送機構（30,36）は、上記入力部（34）に上記加湿運転の停止信号が入力されると、上記熱歪材料（21）に室外空気を通過させる
ことを特徴とする調湿装置。
【請求項１２】
請求項９乃至１１のいずれか１つにおいて、
放湿通路（P1）の空気を搬送する放湿側ファン（30a）と、吸湿通路（P2）の空気を搬送する吸湿側ファン（30b）とを備え、
上記アクチュエータは、複数の上記熱歪材料（21）を放湿通路（P1）と吸湿通路（P2）との間で連続的に回動させるとともに、上記吸湿通路（P2）側から放湿通路（P1）側にむかうにつれて熱歪材料（21）に付与する応力を大きくし、上記放湿通路（P1）側から上記吸湿通路（P2）側にむかうにつれて該熱歪材料（21）に付与された応力を小さくするように構成された回動機構（120）で構成され、
上記乾燥手段は、上記入力部（34）に停止信号が入力されると上記吸湿通路（P2）側の熱歪材料（21）が上記放湿通路（P1）へ移動し、該放湿通路（P1）側の熱歪材料（21）が吸湿通路（P2）へ移動するように上記回動機構（120）を駆動する上記アクチュエータ制御部（35）と、上記入力部（34）に停止信号が入力されると、上記吸湿側ファン（30b）を停止し且つ上記放湿側ファン（30a）の運転を継続させるファン制御部（36）とを有している
ことを特徴とする調湿装置。
【発明の詳細な説明】
【技術分野】
【０００１】
本発明は、水分の吸着と脱離とを行う調湿モジュールを備え、該調湿モジュールで空気の湿度を調節する調湿装置に関する。
【背景技術】
【０００２】
従来より、吸着剤により水分の吸着と脱離とを行い、空気の湿度を調節する調湿装置が知られている。例えば特許文献１には、表面に吸着剤が担持された吸着熱交換器を備えた調湿装置が開示されている。この調湿装置は、２つの吸着熱交換器を備え、一方の吸着熱交換器で冷媒が放熱し、他方の吸着熱交換器で冷媒が蒸発する冷凍サイクルを行う。例えば放熱側の吸着熱交換器では、吸着剤が冷媒によって加熱され、吸着剤から空気中へ水分が脱離する放湿動作が行われる。また、蒸発側の吸着熱交換器では、吸着剤が冷媒によって冷却され、空気中の水分が吸着剤へ吸着される吸湿動作が行われる。調湿装置では、例えば吸湿動作により除湿した空気を室内へ供給することで、室内の除湿が行われる。また、調湿装置では、例えば放湿動作により加湿した空気を室内へ供給することで、室内の加湿が行われる。
【先行技術文献】
【特許文献】
【０００３】
【特許文献１】特開２００５−１１４２９１号公報
【発明の概要】
【発明が解決しようとする課題】
【０００４】
ところで、上記のような調湿装置として、熱歪材料の表面に吸着層を形成し、この熱歪材料にアクチュエータから応力を付与する、あるいはこの応力を解除することで、空気の湿度を調節することが考えられる。具体的には、熱歪材料に応力を付与すると、熱歪材料が発熱し、これに伴い吸着層の吸着剤が加熱される。この結果、応力が付与された熱歪材料では、吸着剤の水分が空気中へ放出される放湿動作が行われる。また、熱歪材料の応力を解除すると、熱歪材料の温度が低下し、これに伴い吸着層の吸着剤が冷却される。この結果、応力が解除された熱歪材料では、空気中の水分が吸着剤に吸着される吸湿動作が行われる。このようにして、熱歪材料で放湿動作や吸湿動作を行うことで、調湿装置では、空気の湿度を調節する調湿運転を行うことができる。
【０００５】
一方、このような調湿装置において、熱歪材料の吸着層の含水率が高い状態で、調湿運転が停止された状態が続くと、吸着剤の表面で菌やカビが繁殖しやすくなり、吸着剤の吸着性能が低下したり、悪臭が発生したりする、という問題が生じる。                      
【０００６】
本発明は、かかる点に鑑みてなされたものであり、その目的は、熱歪材料に応力を付与して空気の湿度を調節する調湿装置において、調湿運転の運転が停止時における、熱歪材料の吸着剤の表面での菌やカビの繁殖を防止することである。
【課題を解決するための手段】
【０００７】
第１の発明は、水分を吸着する吸着層（23）を表面に形成した熱歪材料（21）と、該熱歪材料（21）に応力を付与するアクチュエータ（22,120）とを有する調湿モジュール（20,20a,20b）と、該熱歪材料（21）に空気を通過させるファン（30,30a,30b）と、上記該熱歪材料（21）に応力を付与して吸着層（23）から空気中へ水分を脱離させる放湿動作と、該熱歪材料（21）の応力を解除して吸着層（23）に空気中の水分を吸着させる吸湿動作とを行うように上記アクチュエータ（22,120）を制御するアクチュエータ制御部（35）とを備え、上記調湿モジュール（20,20a,20b）で空気の湿度を調節する調湿運転を行う調湿装置を対象とし、上記調湿運転の停止信号が入力される入力部（34）と、該入力部（34）に上記停止信号が入力された後に、上記熱歪材料（21）の吸着層（23）を乾燥させる乾燥動作を行う乾燥手段（22,30,30a,30b,35,36,37,D1〜D8）とを備えていることを特徴とする。
【０００８】
第１の発明では、アクチュエータ（22,120）により熱歪材料（21）に応力が付与されることで、そのエントロピーが減少し、その分、熱歪材料（21）が発熱する。この結果、熱歪材料（21）の表面に形成された吸着層（23）の吸着剤が、熱歪材料（21）によって加熱され、吸着剤から空気中へ水分が脱離する放湿動作が行われる。また、本発明では、アクチュエータ（22,120）による熱歪材料（21）の応力が解除されることで、熱歪材料（21）は、マルテンサイト相から母相（オーステナイト相）に変化する。熱歪材料（21）が断熱されていた場合、このような相変化に伴い、熱歪材料（21）の温度が低下する。この結果、吸着層（23）の吸着剤が、熱歪材料（21）によって冷却され、空気中の水分が吸着剤に吸着される吸湿動作が行われる。この調湿装置では、このような調湿モジュール（20,20a,20b）の放湿動作や吸湿動作が行われることで、空気の湿度が調節される調湿運転が行われる。
【０００９】
この調湿運転中において、入力部（34）に停止信号が入力されると、乾燥手段（22,30,30a,30b,35,36,37,D1〜D8）が熱歪材料（21）の吸着層（23）を乾燥させる乾燥動作を行う。この結果、吸着層（23）の吸着剤の含水率が低下する。その後、調湿装置が停止状態となった際には、乾燥手段（22,30,30a,30b,35,36,37,D1〜D8）により、熱歪材料（21）の吸着層（23）の吸着剤の含水率が低くなっている。従って、調湿運転を長期に亘って停止したとしても、吸着層（23）の表面における菌やカビの繁殖が抑制される。
【００１０】
第２の発明は、第１の発明において、上記乾燥手段は、上記アクチュエータ（22）と、上記熱歪材料（21）に応力を付与するように該アクチュエータ（22）を制御するアクチュエータ制御部（35）を備えていることを特徴とする。
【００１１】
第２の発明では、入力部（34）に調湿運転の停止信号が入力されると、乾燥手段としてのアクチュエータ（22）及びアクチュエータ制御部（35）が、熱歪材料（21）に応力を付与する乾燥動作を行う。この結果、乾燥動作では、熱歪材料（21）が発熱し、熱歪材料（21）の吸着層（23）の水分が空気中へ脱離する。この結果、調湿運転の停止時においては、吸着層（23）の含水率を低い状態とすることができる。
【００１２】
第３の発明は、第２の発明において、上記乾燥手段は、応力が付与された上記熱歪材料（21）に空気を通過させる空気搬送機構（30,30a,30b,36）を備えていることを特徴とする。
【００１３】
第３の発明では、入力部（34）に調湿運転の停止信号が入力されると、乾燥手段としての空気搬送機構（30,30a,30b,36）が、応力が付与された状態の熱歪材料（21）に空気を通過させる。これにより、調湿運転の停止時には、熱歪材料（21）から空気中へ水分が放出され易くなり、吸着層（23）の吸着剤の含水率が更に小さくなる。
【００１４】
第４の発明は、第３の発明において、上記調湿モジュール（20,20a,20b）は、該調湿モジュール（20,20a,20b）で除湿した空気を室内へ供給する上記調湿運転としての除湿運転を行うように構成され、上記空気搬送機構（30,30a,30b,36）は、上記入力部（34）に上記除湿運転の停止信号が入力されると、応力が付与された上記熱歪材料（21）に室内空気を通過させることを特徴とする。
【００１５】
第４の発明の調湿装置では、調湿モジュール（20,20a,20b）で除湿された空気が室内へ供給される、除湿運転が行われる。入力部（34）に除湿運転の停止信号が入力されると、空気搬送機構（30,30a,30b,36）は、室外空気に比べて温度及び絶対湿度の低い室内空気を、応力が付与された状態の熱歪材料（21）に通過させる。熱歪材料（21）に導入された室内空気は、応力が付与された熱歪材料によって加熱されて相対湿度が低下する。これにより、除湿運転の停止時には、熱歪材料（21）から空気中へ水分が放出され易くなり、吸着層（23）の吸着剤の含水率が更に小さくなる。
【００１６】
第５の発明は、第３の発明において、上記調湿モジュール（20,20a,20b）は、該調湿モジュール（20,20a,20b）で加湿した空気を室内へ供給する上記調湿運転としての加湿運転を行うように構成され、上記空気搬送機構（30,30a,30b,36）は、上記入力部（34）に上記加湿運転の停止信号が入力されると、上記乾燥動作時に応力が付与された上記熱歪材料（21）に室外空気を通過させることを特徴とする。
【００１７】
第５の発明の調湿装置では、調湿モジュール（20,20a,20b）で加湿された空気が室内へ供給される、加湿運転が行われる。入力部（34）に加湿運転の停止信号が入力されると、空気搬送機構（30,30a,30b,36）は、室内空気に比べて温度及び絶対湿度の低い室外空気を、応力が付与された状態の熱歪材料（21）に通過させる。熱歪材料（21）に導入された室外空気は、応力が付与された熱歪材料によって加熱されて相対湿度が低下する。これにより、加湿運転の停止時には、熱歪材料（21）から空気中へ水分が放出され易くなり、吸着層（23）の吸着剤の含水率が更に小さくなる。
【００１８】
第６の発明は、第２の発明において、上記乾燥手段は、応力が付与された熱歪材料（21）の空気の通過を禁止させる空気流通禁止機構（37,D1〜D8）と、該空気流通禁止機構（37,D1〜D8）で熱歪材料（21）の空気の通過を禁止した後、該熱歪材料（21）の周囲の空気を室外へ排出する空気排出機構（30b）とを備えていることを特徴とする。
【００１９】
第６の発明では、入力部（34）に調湿運転の停止信号が入力されると、空気流通禁止機構（37,D1〜D8）が、熱歪材料（21）の空気の通過を禁止させる。これにより、乾燥動作において、比較的相対湿度の高い空気が、応力が付与された状態の熱歪材料（21）の周囲に流れ込むことに起因して、熱歪材料（21）から空気中への水分の放出が阻害されることが抑制される。
【００２０】
一方、熱歪材料（21）から水分が放出された直後では、熱歪材料（21）の周囲の空気の相対湿度が高くなる。このため、空気排出機構（30b）は、熱歪材料（21）の周囲の空気を室外へ排出する。この結果、調湿運転の停止時において、熱歪材料（21）の吸着層（23）に再び水分が吸着されることを抑制できる。
【００２１】
第７の発明は、第６の発明において、上記空気流通禁止機構（37,D1〜D8）は、上記熱歪材料（21）が収容される調湿室（C1,C2）を閉空間とするダンパ機構（37,D1〜D8）を備えていることを特徴とする。
【００２２】
第７の発明では、入力部（34）に調湿運転の停止信号が入力されると、空気流通禁止機構（37,D1〜D8）としてのダンパ機構（37,D1〜D8）が、調湿室（C1,C2）を閉空間とする。これにより、調湿室（C1,C2）の外部の相対湿度の高い空気が、調湿室（C1,C2）に入り込むことが確実に抑制される。
【００２３】
第８の発明は、第２乃至第７のいずれか１つの発明において、上記アクチュエータ制御部（35）は、上記乾燥動作の後に上記ファン（30,30a,30b）が停止状態になると、上記熱歪材料（21）の応力を解除するように上記アクチュエータ（22）を制御することを特徴とする。
【００２４】
第８の発明では、乾燥動作の後にファン（30,30a,30b）が停止状態になると、アクチュエータ制御部（35）が、応力が付与された状態の熱歪材料（21）の応力を解除する。すると、熱歪材料（21）は、その温度が低下するため、周囲の空気から吸着層（23）に水分が吸着され易くなる。しかし、熱歪材料（21）の応力が解除される際には、ファン（30,30a,30b）が停止状態となっているため、吸着層（23）の吸着剤に空気中の水分が吸着されることを抑制できる。この結果、調湿運転が停止する際に速やかに熱歪材料（21）の応力を解除でき、且つ吸着層（23）の含水率が増大してしまうことを抑制できる。
【００２５】
第９の発明は、第１の発明において、上記乾燥手段は、上記熱歪材料（21）に空気を通過させる空気搬送機構（30,36）を備えていることを特徴とする。
【００２６】
第９の発明では、入力部（34）に調湿運転の停止信号が入力されると、乾燥手段としての空気搬送機構（30,36）が、熱歪材料（21）に空気を通過させる乾燥動作を行う。これにより、熱歪材料（21）の吸着層（23）の水分を空気中へ放出させることができ、吸着層（23）の吸着剤の含水率を低減できる。
【００２７】
第１０の発明は、第９の発明において、上記調湿モジュール（20,20a,20b）は、該調湿モジュール（20,20a,20b）で除湿した空気を室内へ供給する上記調湿運転としての除湿運転を行うように構成され、上記空気搬送機構（30,36）は、上記入力部（34）に上記除湿運転の停止信号が入力されると、上記熱歪材料（21）に室内空気を通過させることを特徴とする。
【００２８】
第１０の発明では、調湿モジュール（20,20a,20b）で除湿された空気が室内へ供給される、除湿運転が行われる。入力部（34）に調湿運転の停止信号が入力されると、乾燥手段としての空気搬送機構（30,36）が、熱歪材料（21）に比較的相対湿度の低い室内空気を熱歪材料（21）に通過させる乾燥動作を行う。これにより、除湿運転が停止する際、熱歪材料（21）から空気中へ水分を放出させることができ、吸着層（23）の吸着剤の含水率を低減できる。
【００２９】
第１１の発明は、第９の発明において、上記調湿モジュール（20,20a,20b）は、該調湿モジュール（20,20a,20b）で加湿した空気を室内へ供給する上記調湿運転としての加湿運転を行うように構成され、上記空気搬送機構（30,36）は、上記入力部（34）に上記加湿運転の停止信号が入力されると、上記熱歪材料（21）に室外空気を通過させることを特徴とする。
【００３０】
第１１の発明では、調湿モジュール（20,20a,20b）で加湿された空気が室内へ供給される、加湿運転が行われる。入力部（34）に加湿運転の停止信号が入力されると、乾燥手段としての空気搬送機構（30,36）が、熱歪材料（21）に比較的相対湿度の低い室外空気を熱歪材料（21）に通過させる乾燥動作を行う。これにより、加湿運転が停止する際、熱歪材料（21）から空気中へ水分を放出させることができ、吸着層（23）の吸着剤の含水率を低減できる。
【００３１】
第１２の発明は、第９乃至第１１のいずれか１つの発明において、放湿通路（P1）の空気を搬送する放湿側ファン（30a）と、吸湿通路（P2）の空気を搬送する吸湿側ファン（30b）とを備え、上記アクチュエータは、複数の上記熱歪材料（21）を放湿通路（P1）と吸湿通路（P2）との間で連続的に回動させるとともに、上記吸湿通路（P2）側から放湿通路（P1）側にむかうにつれて熱歪材料（21）に付与する応力を大きくし、上記放湿通路（P1）側から上記吸湿通路（P2）側にむかうにつれて該熱歪材料（21）に付与された応力を小さくするように構成された回動機構（120）で構成され、上記乾燥手段は、上記入力部（34）に停止信号が入力されると上記吸湿通路（P2）側の熱歪材料（21）が上記放湿通路（P1）へ移動し、該放湿通路（P1）側の熱歪材料（21）が吸湿通路（P2）へ移動するように上記回動機構（120）を駆動する上記アクチュエータ制御部（35）と、上記入力部（34）に停止信号が入力されると、上記吸湿側ファン（30b）を停止し且つ上記放湿側ファン（30a）の運転を継続させるファン制御部（36）とを有していることを特徴とする。
【００３２】
第１２の発明では、複数の熱歪材料（21）の応力の付与と解除とが回動機構（120）において連続的に行われる。具体的に、回動機構（120）は、複数の熱歪材料（21）を放湿通路（P1）と吸湿通路（P2）との間で連続的に回動させる。アクチュエータ制御部（35）は、熱歪材料（21）が吸湿通路（P2）側から放湿通路（P1）側にむかうにつれて該熱歪材料（21）の応力を大きくする。この結果、放湿通路（P1）では、応力が付与された熱歪材料（21）が発熱し、熱歪材料（21）の吸着層（23）から水分が脱離する。また、アクチュエータ制御部（35）は、熱歪材料（21）が放湿通路（P1）側から吸湿通路（P2）側にむかうにつれて該熱歪材料（21）の応力を小さくする。この結果、吸湿通路（P2）では、応力が解除された熱歪材料（21）が吸熱し、空気中の水分が吸着層（23）に吸着される。このように、本発明では、放湿通路（P1）において吸着層（23）の水分が連続的に脱離すると同時に、吸湿通路（P2）において空気中の水分が吸着層（23）に吸着される。
【００３３】
本発明において、入力部（34）に停止信号が入力されると、ファン制御部（36）は、吸湿側ファン（30b）を停止する一方、放湿側ファン（30a）の運転を継続させる。同時に、アクチュエータ制御部（35）は、吸湿通路（P2）に位置していた熱歪材料（即ち、吸着層（23）に水分が吸着された熱歪材料）を放湿通路（P1）側に移動させる。この結果、熱歪材料（21）に応力が付与され、熱歪材料（21）の吸着層（23）から水分が脱離する。これにより、熱歪材料（21）の吸着層（23）が乾燥される。放湿通路（P1）では、放湿側ファン（30a）の運転が継続しているため、吸着層（23）から脱離した水分は空気とともに放湿通路（P1）から排出される。また、入力部（34）に停止信号が入力されると、放湿通路（P1）に位置していた熱歪材料（即ち、吸着層（23）が乾燥状態の熱歪材料）を吸湿通路（P2）側に移動させる。この結果、放湿通路（P1）では、熱歪材料（21）の応力が解除された状態となる。しかしながら、吸湿通路（P2）では、吸湿側ファン（30b）が停止状態となっている。このため、吸湿通路（P2）の熱歪材料（21）の応力が解除されたとしても、多量の水分が吸着層（23）に吸着されることはない。従って、吸湿通路（P2）の熱歪材料（21）の吸着層（23）の含水率が高くなることも抑制できる。
【発明の効果】
【００３４】
本発明によれば、熱歪材料（21）に吸着層（23）を形成し、熱歪材料（21）に応力を付与する、あるいは解除することで、放湿動作と吸湿動作とを切り換えて空気の湿度を調節することができる。また、本発明によれば、調湿運転が停止する際、乾燥手段（22,30,30a,30b,35,36,37,D1〜D8）によって熱歪材料（21）の吸着層（23）を乾燥する乾燥動作を行うため、調湿装置を長期に亘って停止状態としても、吸着層（23）の表面で菌やカビが繁殖することを防止できる。この結果、このような菌やカビの繁殖に起因して、熱歪材料（21）の吸着層（23）の吸着性能が低下したり、吸着層（23）から悪臭が発生したりすることを防止できる。
【００３５】
第２の発明によれば、乾燥動作において、熱歪材料（21）に応力を付与することで、吸着層（23）から水分を容易に放出させることができる。この際に用いられるアクチュエータ（22）は、調湿運転時の放湿動作や吸湿動作にも用いられる。つまり、本発明では、通常の調湿運転で用いられるアクチュエータ（22）を乾燥手段として利用するので、部品点数が増大することもない。
【００３６】
第３の発明によれば、乾燥動作において、熱歪材料（21）に応力を付与する際、この熱歪材料（21）に空気を通過させるため、吸着層（23）から周囲の空気へ水分が脱離し易くなる。この結果、吸着層（23）の吸着剤の含水率を確実に低減でき、吸着剤の表面での菌やカビの繁殖を確実に防止できる。特に、第４や第５の発明によれば、乾燥動作において、比較的相対湿度の低い空気が熱歪材料（21）を通過するため、吸着層（23）から周囲の空気へ水分が脱離し易くなる。この結果、吸着層（23）の吸着剤の含水率を一層確実に低減でき、吸着剤の表面における菌やカビの繁殖を一層確実に防止できる。
【００３７】
第６の発明では、乾燥動作において、熱歪材料（21）に応力を付与する際、この熱歪材料（21）に空気を通過させない。このため、熱歪材料（21）の周囲を比較的相対湿度の高い空気が流れることがなく、応力を付与した熱歪材料（21）の吸着層（23）から水分を確実に放出させることができる。そして、本発明では、このようにして熱歪材料（21）の周囲に溜まった水分を空気とともに室外へ排出するため、熱歪材料（21）の周囲の湿度を速やかに低減できる。この結果、調湿装置を長期に亘って停止状態としても、吸着層（23）の吸着層の表面で菌やカビが繁殖することを確実に防止できる。
【００３８】
特に、第７の発明では、乾燥動作時において、ダンパ機構（37,D1〜D8）が調湿室（C1,C2）を閉空間とするため、熱歪材料（21）の周囲を比較的相対湿度の高い空気が流れることを確実に防止でき、応力を付与した熱歪材料（21）の吸着層（23）から水分を確実に放出させることができる。
【００３９】
第８の発明によれば、ファン（30,30a,30b）の停止後に、熱歪材料（21）の応力を解除するため、吸着層（23）の吸着剤に水分が吸着されることを極力抑えつつ、熱歪材料（21）の応力を速やかに解除できる。この結果、調湿装置の停止時には、熱歪材料（21）にアクチュエータ（22）の応力が作用しないため、熱歪材料（21）の応力負荷が低減でき、熱歪材料（21）の耐久性を向上できる。
【００４０】
第９の発明では、乾燥動作において、熱歪材料（21）に空気を通過させることで、この熱歪材料（21）の吸着層（23）から水分を放出させることができる。特に、第１０や第１１の発明では、比較的相対湿度の低い空気が熱歪材料（21）を通過するため、吸着層（23）の吸着剤の含水率を一層確実に低減でき、該吸着剤の表面における菌やカビの繁殖を一層確実に防止できる。
【００４１】
第１２の発明では、回動機構（120）において、吸湿通路（P2）側から放湿通路（P1）側へむかう熱歪材料（21）の応力を大きくし、放湿通路（P1）側から吸湿通路（P2）側へむかう熱歪材料（21）の応力を小さくしている。これにより、本発明では、放湿通路（P1）においては連続的に吸着層（23）から水分を放出させると同時に、吸湿通路（P2）においては空気中の水分を吸着層（23）に連続的に吸着させることができる。この結果、例えば吸湿通路（P2）の空気を室内へ供給することで、室内を連続的に除湿できる。また、例えば放湿通路（P1）の空気を室内へ供給することで、室内を連続的に加湿できる。
【図面の簡単な説明】
【００４２】
【図１】図１は、本発明の実施形態１及び実施形態４に係る調湿装置を室内に設置した状態を示す概略図であり、図１（Ａ）が吸湿動作の運転状態を示し、図１（Ｂ）が放湿動作の運転状態を示している。
【図２】図２は、図１の調湿装置に用いられる調湿モジュールの概略構成図である。
【図３】図３は、熱歪材料におけるＴ−Ｓ線図を示すものである。
【図４】図４（Ａ）は調湿モジュールの概略構成図において放湿運転の状態を示す図であり、図４（Ｂ）は調湿モジュールの概略構成図において吸湿運転の状態を示す図である。
【図５】図５は、実施形態１の調湿装置のコントローラの概略構成図である。
【図６】図６は、応力調整手段の一例を示すものである。
【図７】図７は、応力調整手段の一例を示すものである。
【図８】図８は、実施形態１の調湿装置の乾燥動作を説明するためのタイムチャートであり、図８(Ａ)は第１バッチ動作中に停止信号が入力された場合を示し、図８(Ｂ)は第２バッチ動作中に停止信号が入力された場合を示している。
【図９】図９は、実施形態１の変形例１及び実施形態４の変形例１に係る調湿装置を室内に設置した状態を示す概略図であり、図９（Ａ）は第１バッチ動作を、図９（Ｂ）は第２バッチ動作を示している。
【図１０】図１０は、実施形態１の変形例１の調湿装置の乾燥動作を説明するためのタイムチャートである。
【図１１】図１１は、実施形態１の変形例２及び実施形態４の変形例２に係る調湿装置を室内に設置した状態を示す概略図であり、図１１（Ａ）は第１の運転状態、図１１（Ｂ）は第２の運転状態を示している。
【図１２】図１２は、実施形態１の変形例３及び実施形態４の変形例３に係る調湿装置を設置した状態を示す概略図である。
【図１３】図１３は、実施形態１の変形例３の調湿装置のコントローラの概略構成図である。
【図１４】図１４は、図１２の調湿装置の第１バッチ動作を示す図であり、図１４（Ａ）は平面構造図、図１４（Ｂ）は左側面構造図、図１４（Ｃ）は右側面構造図である。
【図１５】図１５は、図１２の調湿装置の第２バッチ動作を示す図であり、図１５（Ａ）は平面構造図、図１５（Ｂ）は左側面構造図、図１１（Ｃ）は右側面構造図である。
【図１６】図１６は、実施形態１の変形例３の調湿装置の乾燥動作を説明するためのタイムチャートである。
【図１７】図１７は、図１７の調湿装置のパージ動作を示す図であり、図１７（Ａ）は平面構造図、図１７（Ｂ）は左側面構造図、図１７（Ｃ）は右側面構造図である。
【図１８】図１８は、実施形態１の変形例４及び実施形態４の変形例４に係る調湿装置を室内に設置した状態を示す概略図である。
【図１９】図１９は、実施形態２及び実施形態４に係る調湿装置を室内に設置した状態を示す概略図であり、図１９（Ａ）が放湿動作の運転状態を示し、図１９（Ｂ）が吸湿動作の運転状態を示している。
【図２０】図２０は、実施形態２の調湿装置の乾燥動作を説明するためのタイムチャートであり、図２０(Ａ)は第１バッチ動作中に停止信号が入力された場合を示し、図２０(Ｂ)は第２バッチ動作中に停止信号が入力された場合を示している。
【図２１】図２１は、実施形態２の変形例１及び実施形態４の変形例１に係る調湿装置を室内に設置した状態を示す概略図であり、図２１（Ａ）は第１バッチ動作を、図２１（Ｂ）は第２バッチ動作を示している。
【図２２】図２２は、実施形態２の変形例１の調湿装置の乾燥動作を説明するためのタイムチャートである。
【図２３】図２３は、実施形態２の変形例２及び実施形態４の変形例２に係る調湿装置を室内に設置した状態を示す概略図であり、図２３（Ａ）は第１バッチ動作を、図２３（Ｂ）は第２バッチ動作をを示している。
【図２４】図２４は、実施形態２の変形例３及び実施形態４の変形例３に係る調湿装置を設置した状態を示す概略図である。
【図２５】図２５は、図２４の調湿装置の第１バッチ動作を示す図であり、図２５（Ａ）は平面構造図、図２５（Ｂ）は左側面構造図、図２５（Ｃ）は右側面構造図である。
【図２６】図２６は、図２４の調湿装置の第２バッチ動作を示す図であり、図２６（Ａ）は平面構造図、図２６（Ｂ）は左側面構造図、図２６（Ｃ）は右側面構造図である。
【図２７】図２７は、実施形態２の変形例３の調湿装置の乾燥動作を説明するためのタイムチャートである。
【図２８】図２８は、図２８の調湿装置のパージ動作を示す図であり、図２８（Ａ）は平面構造図、図２８（Ｂ）は左側面構造図、図２８（Ｃ）は右側面構造図である。
【図２９】図２９は、実施形態２の変形例４及び実施形態４の変形例４に係る調湿装置を室内に設置した状態を示す概略図である。
【図３０】図３０は、実施形態３及び実施形態４の変形例５に係る調湿装置を室内に設置した状態を示す概略図であり、図３０（Ａ）は第１バッチ動作を、図３０（Ｂ）は第２バッチ動作を示している。
【図３１】図３１は、実施形態３の変形例１及び実施形態４の変形例６に係る調湿装置を室内に設置した状態を示す概略図である。
【図３２】図３２は、実施形態３の変形例２及び実施形態４の変形例５に係る調湿装置を室内に設置した状態を示す概略図であり、図３２（Ａ）は第１バッチ動作を、図３２（Ｂ）は第２バッチ動作を示している。
【図３３】図３３は、実施形態３の変形例３及び実施形態４の変形例６に係る調湿装置を室内に設置した状態を示す概略図である。
【図３４】図３４は、実施形態５に係る調湿モジュールの構造を示す斜視図である。
【図３５】図３５は、実施形態５に係るカムの形状例を示す図である。
【図３６】図３６は、実施形態５に係るカムの形状例を示す図である。
【図３７】図３７は、実施形態５に係るカムの形状例を示す図である。
【図３８】図３８は、実施形態５の変形例１に係る調湿モジュールの構造を示す斜視図である。
【図３９】図３９は、実施形態５の変形例２に係る調湿モジュールの構造を示す斜視図である。
【図４０】図４０は、実施形態５の変形例３に係る調湿モジュールの構造を示す斜視図である。
【図４１】図４１は、実施形態５の変形例４に係る調湿モジュールの構造を示す斜視図である。
【図４２】図４２は、実施形態５の変形例５に係る調湿モジュールの構造を示す斜視図である。
【図４３】図４３は、実施形態５の変形例６に係る調湿モジュールの構造を示す斜視図である。
【図４４】図４４は、実施形態５の変形例７に係る調湿モジュールの構造を示す斜視図である。
【図４５】図４５は、実施形態５の変形例８に係る調湿モジュールの構造を示す斜視図である。
【図４６】図４６は、実施形態５の変形例９に係る調湿モジュールの構造を示す斜視図である。
【図４７】図４７は、実施形態６に係る調湿モジュールの構造を示す概略図である。
【図４８】図４８は、実施形態６に係る調湿モジュールの一部を拡大して示す図であって、（Ａ）は、上側空気通路内を示し、（Ｂ）は下側空気通路内を示す概略図である。
【図４９】図４９は、実施形態６の変形例１に係る調湿モジュールの構造を示す概略図である。
【図５０】図５０は、実施形態６の変形例２に係る調湿モジュールの構造を示す概略図である。
【図５１】図５１は、実施形態６の変形例３に係る調湿モジュールの構造を示す概略図である。
【図５２】図５２は、実施形態６の変形例４に係る調湿モジュールの構造を示す斜視図である。
【図５３】図５３は、実施形態６の変形例４に係る調湿モジュールの構造を示す概略の断面図である。
【図５４】図５４は、実施形態６の変形例４に係る調湿モジュールの構造を示す平面図である。
【図５５】図５５は、実施形態６の変形例５に係る調湿モジュールの構造を示す斜視図である。
【図５６】図５６は、実施形態６の変形例５に係る調湿モジュールの構造を示す概略の断面図である。
【図５７】図５７は、実施形態６の変形例５に係る調湿モジュールの構造を示す平面図である。
【図５８】図５８は、実施形態７に係る調湿モジュールの構造を示す概略図である。
【図５９】図５９は、実施形態７に係るケーシングと調湿モジュールの構造を示す概略図である。
【図６０】図６０は、実施形態７の変形例に係る調湿モジュールの一部を示す概略図である。
【図６１】図６１は、実施形態７の変形例に係る調湿モジュールの構造を示す概略図である。
【図６２】図６２は、実施形態７の変形例に係るケーシングと調湿モジュールの構造を示す概略図である。
【図６３】図６３は、実施形態８に係る調湿モジュールの構造を示す概略図である。
【図６４】図６４は、実施形態８に係るアクチュエータの構成を模式的に示す図である。
【図６５】図６５は、実施形態８の変形例１に係るアクチュエータの構成を模式的に示す図である。
【図６６】図６６は、その他の形態に係るアクチュエータの構成を示す図である。
【図６７】図６７は、その他の形態に係るアクチュエータの構成を示す図である。
【図６８】図６８は、その他の形態に係るアクチュエータの構成を示す図である。
【図６９】図６９は、その他の形態に係るアクチュエータの構成を示す図である。
【図７０】図７０は、その他の形態に係る乾燥動作の第１の例を説明するためのタイムチャートである。
【図７１】図７１は、その他の形態に係る乾燥動作の第２の例を説明するためのタイムチャートである。
【図７２】図７２は、乾燥手段の他の変形例に係る調湿モジュールの構造を示す概略図であり、(Ａ)は除湿運転を(Ｂ)は乾燥動作の終了時をそれぞれ表したものである。
【図７３】図７３は、乾燥手段の他の変形例に係る調湿モジュールの構造を示す概略図であり、(Ａ)は加湿運転を(Ｂ)は乾燥動作の終了時をそれぞれ表したものである。
【発明を実施するための形態】
【００４３】
以下、本発明の実施形態を図面に基づいて詳細に説明する。
【００４４】
〈発明の実施形態１〉
−装置の全体構成−
図１は、実施形態１に係る１つの室内ユニット（U）で構成される調湿装置（1）を建物（2）の室内（空調対象空間）（3）に設置した状態を示す概略図であり、図１(Ａ)が吸湿動作の運転状態を示し、図１(Ｂ)が放湿動作の運転状態を示している。実施形態１の調湿装置（1）は、除湿装置として構成されている。
【００４５】
この調湿装置（1）は、ケーシング（10）と、ケーシング（10）内に収納された調湿モジュール（20）と、調湿モジュール（20）に空気を流すファン（30）と、コントローラ（33）とを備えている。
【００４６】
ケーシング（10）内には、該ケーシング（10）内に導入された空気を調湿モジュール（20）に通して室内（3）へ供給するための空気通路（P）が形成されている。この実施形態では、上記調湿モジュール（20）で吸湿処理した空気をこの空気通路（P）により室内（3）に導入することにより、除湿運転（調湿運転）が行われる。
【００４７】
−調湿モジュール−
上記調湿モジュール（20）は、概略の構成を図２に示すように、熱歪材料（Thermoelastic）（21）と、該熱歪材料（21）に引張力を付与するアクチュエータ（22）とを備えている。尚、この熱歪材料（21）に付与される引張力は、本発明に係る張力を構成している。調湿モジュール（20）の表面には、空気中の水分の吸着と脱離が可能な吸着層（23）が設けられている。
【００４８】
上記熱歪材料（21）は、例示として形状記憶合金によって構成され、応力（例えば引張力や圧縮力）をかけることで対象物を加熱する一方、応力を解除することで対象物を冷却するものである。具体的には、図３に示すように、熱歪材料（21）に応力をかけると、母相（オーステナイト相）からマルテンサイト相へと相変化することで、エントロピーが減少し、その分、発熱して熱歪材料（21）自身が加熱される（IからII）。熱歪材料（21）に応力をかけたまま、該熱歪材料（21）を加熱対象物に接触させると、熱歪材料（21）の熱が加熱対象物に伝わる（IIからIII）。こうすることで、熱歪材料（21）の温度は下がる。そして、熱歪材料（21）にかけられている応力を除去（解除）すると、マルテンサイト相から母相（オーステナイト相）に変化する（IIIからIV）。このとき、熱歪材料（21）が断熱されていると、熱歪材料（21）の温度が下がる。温度が下がった熱歪材料に冷却対象物を接触させると、該冷却対象物の熱が熱歪材料（21）に伝わる（IVからI）。
【００４９】
したがって、図４（Ａ）に示すように、熱歪材料（21）に応力を付与すると、熱歪材料（21）が発熱し、吸着層（23）が加熱される。吸着層（23）が加熱されると、吸着層（23）に吸着されていた水分が空気中に放出される（放湿動作）。したがって、調湿モジュール（20）を通過した後の空気中の水分は通過前より多くなる。逆に図４（Ｂ）に示すように熱歪材料（21）への応力を解除すると、熱歪材料（21）が吸熱し、吸着層（23）が冷却される。吸着層（23）が冷却されると、空気中の水分が吸着層（23）に吸着される（吸湿動作）。したがって、調湿モジュール（20）を通過した後の空気中の水分は通過前より少なくなる。この調湿装置（1）では、放湿動作と吸湿動作が交互に行われる。
【００５０】
熱歪材料（21）の具体例として、チタン（Ｔｉ）／ニッケル（Ｎｉ）系の合金（例えば形状記憶合金）や、エラストマ樹脂を挙げることができる。
【００５１】
上記アクチュエータ（22）は、熱歪材料（21）に応力（引張力）を付与するためのものである。アクチュエータ（22）は、アクチュエータ制御部（35）に接続され、該アクチュエータ制御部（35）によって熱歪材料（21）への引張力の付与と解除とが制御される。
【００５２】
図５に示すように、コントローラ（33）は、調湿モジュール（20）及びファン（30）を制御するものである。コントローラ（33）には、入力部（34）と、アクチュエータ制御部（35）と、ファン制御部（36）とが設けられる。入力部（34）には、調湿運転（除湿運転）を開始させるための開始信号と、調湿運転（除湿運転）を停止させるための停止信号とが入力される。アクチュエータ制御部（35）は、アクチュエータ（22）によって熱歪材料（21）に張力を付与する状態と、アクチュエータ（22）による熱歪材料（21）の張力を解除する状態とを切り換えるようにアクチュエータ（22）を制御する。ファン制御部（36）は、ファン（30）のモータのＯＮ／ＯＦＦ、及び回転方向を制御する。
【００５３】
アクチュエータ制御部（35）は、入力部（34）に除湿運転の停止信号が入力されると、熱歪材料（21）に張力を付与するようにアクチュエータ（22）を制御して乾燥動作を行う乾燥手段を構成する。また、ファン（30）及びファン制御部（36）は、乾燥動作において、張力が付与された上記熱歪材料（21）に空気を通過させる空気搬送機構であり、乾燥手段を構成する。
【００５４】
−引張力付与動作−
上記アクチュエータ制御部（35）は、アクチュエータ（22）を制御して、熱歪材料（21）への引張力の付与と解除を制御するものである。アクチュエータ制御部（35）は、図６（Ａ〜Ｃ）において、アクチュエータ（22）における熱歪材料（21）に付与する引張力の大きさを変化させることにより該熱歪材料（21）の発熱量を調整し、吸放湿能力を調整するように構成されている。
【００５５】
また、上記アクチュエータ制御部（35）は、図７（Ａ〜Ｃ）において、各熱歪材料（21）の全体のうち、引張力を付与する熱歪材料（21）の割合を変化させることにより該熱歪材料（21）の発熱力を調整し、吸放湿能力を調整するようにしてもよい。
【００５６】
さらに、上記アクチュエータ制御部（35）は、上記吸湿動作と放湿動作を繰り返す時間間隔を変化させることにより上記熱歪材料（21）の発熱量を調整し、吸放湿能力を調整するように構成してもよい。
【００５７】
−運転動作−
この調湿装置（1）では除湿運転のみが行われる。この除湿運転は、例えば室外空気（OA）の湿度が比較的高い夏期に行われる。この除湿運転では、第１バッチ動作と第２バッチ動作とが交互に繰り返されることで、室内の除湿が間欠的に行われる。第１バッチ動作では、室外空気（OA）が吸湿動作中の熱歪材料（21）を通過し、該熱歪材料（21）を通過した空気が供給空気（SA）として室内へ供給される。第２バッチ動作では、室内空気（RA）が放湿動作中の熱歪材料（21）を通過し、該熱歪材料（21）を通過した空気が排出空気（EA）として室外へ排出される。
【００５８】
具体的に、図１(Ａ)に示す第１バッチ動作では、室外空気（OA）がケーシング（10）に取り込まれ、取り込まれた空気が供給空気（SA）として室内へ供給されるように、ファン（30）の回転方向が設定される。第１バッチ動作では、それまで加熱されていた調湿モジュール（20）への引張力が解除される。そうすると、調湿モジュール（20）が空気（室外空気（OA））から吸熱し、図２、図４の吸着層（23）が冷却される。吸着層（23）は、それまで加熱されていたことにより、既に水分を放出している。したがって、図１（Ａ）に示すように、室外から室内（3）へ向かって空気が流れると、その空気から水分が吸着される。そして、水分が吸着されて減湿された空気が室内（3）へ供給される。また、このとき、調湿モジュール（20）が冷却されるため、吸着熱による吸着層（23）の発熱が抑えられる。したがって、吸着性能が低下せずに吸湿動作が行われる。
【００５９】
次に、図１(Ｂ)に示す第２バッチ動作では、室内空気（RA）がケーシング（10）に取り込まれ、取り込まれた空気が排出空気（EA）として室外へ排出されるように、ファン（30）の回転方向が第１バッチ動作とは逆方向に設定される。第２バッチ動作では、調湿モジュール（20）の熱歪材料（21）に引張力が付与される。そうすると、調湿モジュール（20）が放熱し、吸着層（23）が加熱される。吸着層（23）が加熱されると、吸着層（23）に含まれていた水分が室内（3）から室外へ流れる空気に放出される。したがって、この放湿運転のときには、調湿モジュール（20）の吸着層（23）が再生され、水分は空気（排出空気（EA））とともに室外に排出される。
【００６０】
＜乾燥動作＞
次に、上述した調湿運転（除湿運転）が停止する際に実行される乾燥動作について説明する。除湿運転の停止時において、熱歪材料（21）の吸着層（23）の含水率が比較的高い状態であり、この停止状態が長期間に亘って継続すると、吸着層（23）の吸着剤の表面で菌やカビ等が繁殖し、吸着層（23）の吸着性能が低下したり、悪臭が発生したりする。そこで、調湿装置（1）では、除湿運転が停止する際、次のような乾燥動作が行われる。
【００６１】
例えば図８(Ａ)に示すように、上述した除湿運転の第１バッチ動作中（吸湿動作中）において、コントローラ（33）の入力部（34）に除湿運転の停止信号が入力されたとする。この場合、吸湿動作が終了した時点において、そのまま除湿運転を停止させると、熱歪材料（21）の吸着層（23）の吸着剤の含水率が高いままの状態が長期間に亘って維持されることになる。
【００６２】
そこで、調湿装置（1）では、入力部（34）に停止信号が入力された時点での吸湿動作が終了した直後に、熱歪材料（21）の吸着層（23）の吸着剤を乾燥させる動作が行われる。この乾燥動作では、アクチュエータ制御部（35）が、熱歪材料（21）に張力を付与するようにアクチュエータ（22）を制御する。すると、張力が付与された熱歪材料（21）では、該熱歪材料（21）が発熱して吸着層（23）が加熱され、吸着層（23）の吸着剤の水分が周囲の空気へ放出される。また、乾燥動作では、ファン制御部（36）が、張力が付与される熱歪材料（21）に室内空気（RA）を通過させるようにファン（30）のモータの回転方向を制御する。これにより、熱歪材料（21）の吸着層（23）から放出された水分が、室内空気（RA）に付与される。除湿運転が行われる夏期等では、室内空気（RA）の温度及び絶対湿度が室外空気（OA）よりも低くなる傾向にある。熱歪材料に導入された室内空気（RA）は、張力が付与された熱歪材料によって加熱されて相対湿度が低下する。このため、熱歪材料（21）に室内空気（RA）を通過させることで、熱歪材料（21）の吸着層（23）から水分が放出され易くなる。水分を含んだ室内空気（RA）は、排出空気（EA）として室外へ排出される。
【００６３】
乾燥動作が終了すると、ファン制御部（36）は、ファン（30）のモータを停止させる。この結果、乾燥動作の後には、熱歪材料（21）の空気の流通が禁止される。同時に、アクチュエータ制御部（35）は、空気の流通が禁止された状態の熱歪材料（21）の張力を解除する解除動作を行う。この解除動作では、熱歪材料（21）の温度が低下し、吸着層（23）の吸着剤に周囲の水分が吸着され易くなる。しかし、解除動作中では、既にファン（30）が停止状態となるため、熱歪材料（21）を空気が通過する場合と比較して、吸着剤に吸着される水分の量は少ない。従って、解除動作では、吸着層（23）の吸着剤の含水率の上昇を抑えつつ、熱歪材料（21）の張力を解除できる。
【００６４】
また、例えば図８(Ｂ)に示すように、上述した除湿運転の第２バッチ動作中（放湿動作中）において、コントローラ（33）の入力部（34）に除湿運転の停止信号が入力されたとする。この場合、入力部（34）に停止信号が入力された時点で放湿動作を終了すると、吸着層（23）の吸着剤の再生が不十分となり、吸着層（23）の吸着剤の含水率が高いままの状態が長期間に亘って維持されることになる。
【００６５】
そこで、調湿装置（2）では、入力部（34）に停止信号が入力されても、継続して熱歪材料（21）に張力を付与して乾燥動作を行う。これにより、乾燥動作では、張力が付与された熱歪材料（21）が継続して発熱して吸着層（23）が加熱され、吸着層（23）の吸着剤の水分が周囲の空気へ放出される。また、乾燥動作では、ファン制御部（36）が、張力が付与される熱歪材料（21）に室内空気（RA）を通過させるようにファン（30）のモータの回転方向を制御する。これにより、熱歪材料（21）の吸着層（23）から放出された水分が、室内空気（RA）に付与される。除湿運転が行われる夏期等では、室内空気（RA）の相対湿度が室外空気（OA）の相対湿度よりも低くなる傾向にある。このため、熱歪材料（21）に室内空気（RA）を通過させることで、熱歪材料（21）の吸着層（23）から水分が放出され易くなる。水分を含んだ室内空気（RA）は、排出空気（EA）として室外へ排出される。
【００６６】
乾燥動作が終了すると、ファン制御部（36）は、ファン（30）のモータを停止させる。この結果、乾燥動作の後には、熱歪材料（21）の空気の流通が禁止される。同時に、アクチュエータ制御部（35）は、空気の流通が禁止された状態の熱歪材料（21）の張力を解除する解除動作を行う。この解除動作では、熱歪材料（21）の温度が低下し、吸着層（23）の吸着剤に周囲の水分が吸着され易くなる。しかし、解除動作中では、既にファン（30）が停止状態となるため、熱歪材料（21）を空気が通過する場合と比較して、吸着剤に吸着される水分の量は少ない。従って、解除動作では、吸着層（23）の吸着剤の含水率の上昇を抑えつつ、熱歪材料（21）の張力を解除できる。  
【００６７】
−実施形態１の効果−
実施形態１によれば、調湿運転が停止する際に、熱歪材料（21）の吸着層（23）を乾燥する乾燥動作を行うため、調湿装置を長期に亘って停止状態としても、吸着層（23）の表面で菌やカビが繁殖することを防止できる。この結果、このような菌やカビの繁殖に起因して、熱歪材料（21）の吸着層（23）の吸着性能が低下したり、吸着層（23）から悪臭が発生したりすることを防止できる。
【００６８】
また、実施形態１によれば、乾燥動作において、熱歪材料（21）に張力を付与することで、吸着層（23）から水分を容易に放出させることができる。この際に用いられるアクチュエータ（22）は、放湿動作や吸湿動作時にも用いられる。つまり、本実施形態では、通常の調湿運転で用いられるアクチュエータ（22）を乾燥手段として利用するので、部品点数が増大することもない。
【００６９】
また、実施形態１によれば、乾燥動作において、張力が付与された熱歪材料（21）に相対湿度の低い室内空気（RA）を通過させるので、吸着層（23）から空気へ放出される水分の量を増大でき、吸着層（23）の含水率を確実に低減できる。
【００７０】
また、実施形態１によれば、乾燥動作が終了してファン（30）を停止した後に、熱歪材料（21）の張力を解除するため、吸着層（23）の吸着剤に水分が吸着せることを極力抑えつつ、熱歪材料（21）の張力を速やかに解除できる。この結果、調湿装置の停止時には、熱歪材料（21）にアクチュエータ（22）の張力が作用しないため、熱歪材料（21）の応力負荷が低減でき、熱歪材料（21）の耐久性を向上できる。
【００７１】
（変形例１）
図９に示す変形例１は、２つの室内ユニット（U1，U2）で構成される調湿装置（1）を空調対象の室内（3）に設置するように構成したものである。図９では、部屋の対向する壁面の一方（図の右側の壁面）に第１室内ユニット（U1）が設置され、壁面の他方（図の左側の壁面）に第２室内ユニット（U2）が設置されている。各室内ユニット（U1，U2）の構成は図１の調湿装置（1）の室内ユニット（U）と同じであるため、各室内ユニット（U1，U2）の構成については説明を省略する。
【００７２】
この調湿装置（1）では除湿運転のみが行われる。この除湿運転は、例えば室外空気（OA）の湿度が比較的高い夏期に行われる。この除湿運転では、第１バッチ動作と第２バッチ動作とが交互に繰り返されることで、室内の除湿が連続的に行われる。第１バッチ動作では、室外空気（OA）が第１室内ユニット（U1）の吸湿動作中の熱歪材料（21）を通過し、該熱歪材料（21）を通過した空気が供給空気（SA）として室内へ供給される。同時に、第１バッチ動作では、室内空気（RA）が第２室内ユニット（U2）の放湿動作中の熱歪材料（21）を通過し、該熱歪材料（21）を通過した空気が排出空気（EA）として室外へ排出される。また、第２バッチ動作では、室外空気（OA）が第２室内ユニット（U2）の吸湿動作中の熱歪材料（21）を通過し、該熱歪材料（21）を通過した空気が供給空気（SA）として室内へ供給される。同時に、第２バッチ動作では、室内空気（RA）が第１室内ユニット（U1）の放湿動作中の熱歪材料（21）を通過し、該熱歪材料（21）を通過した空気が排出空気（EA）として室外へ排出される。
【００７３】
より詳細に、図９(Ａ)に示す第１バッチ動作では、第１室内ユニット（U1）において、室外空気（OA）がケーシング（10）に取り込まれ、取り込まれた空気が供給空気（SA）として室内へ供給されるように、ファン（30）の回転方向が設定される。また、第１室内ユニット（U1）では、調湿モジュール（20）の熱歪材料（21）への引張力が解除される。したがって、第１室内ユニット（U1）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００７４】
同時に、第１バッチ動作では、第２室内ユニット（U2）において、室内空気（RA）がケーシング（10）に取り込まれ、取り込まれた空気が排出空気（EA）として室外へ排出されるように、ファン（30）の回転方向が設定される。また、第２室内ユニット（U2）では、調湿モジュール（20）の熱歪材料（21）に引張力が付与される。したがって、吸着層（23）に含まれている水分が空気に与えられて、排出空気（EA）として室外へ放出され、調湿モジュール（20）の吸着層（23）が再生される。
【００７５】
また、図９(Ｂ)に示す第２バッチ動作では、第２室内ユニット（U2）において、室外空気（OA）がケーシング（10）に取り込まれ、取り込まれた空気が供給空気（SA）として室内へ供給されるように、ファン（30）の回転方向が設定される。また、第２室内ユニット（U2）では、調湿モジュール（20）の熱歪材料（21）への引張力が解除される。したがって、第２室内ユニット（U1）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００７６】
同時に、第２バッチ動作では、第１室内ユニット（U1）において、室内空気（RA）がケーシング（10）に取り込まれ、取り込まれた空気が排出空気（EA）として室外へ排出されるように、ファン（30）の回転方向が設定される。また、第１室内ユニット（U1）では、調湿モジュール（20）の熱歪材料（21）に引張力が付与される。したがって、吸着層（23）に含まれている水分が空気に与えられて、排出空気（EA）として室外へ放出され、調湿モジュール（20）の吸着層（23）が再生される。
【００７７】
このように、実施形態１の変形例１によれば、いずれか一方の室内ユニット（U1，U2）で空気を減湿して、その空気を室内（3）へ供給するときに、他方の室内ユニット（U2，U1）では吸着層（23）を再生する、図９(Ａ)の動作と図９(Ｂ)の動作とを交互に切り換えることにより、除湿運転を連続して行うことができる。
【００７８】
＜乾燥動作＞
次に、実施形態１の変形例１の調湿運転（除湿運転）が停止する際に行われる乾燥動作について説明する。
【００７９】
例えば図１０に示すように、上述した除湿運転の第１バッチ動作中（第１室内ユニット（U1）の吸湿動作中）において、コントローラ（33）の入力部（34）に除湿運転の停止信号が入力されたとする。すると、第１室内ユニット（U1）では、吸湿動作の終了直後において乾燥動作が行われる。第１室内ユニット（U1）の乾燥動作では、張力が解除された状態の熱歪材料（21）に再び張力が付与される。すると、第１室内ユニット（U1）の熱歪材料（21）では、該熱歪材料（21）が発熱して吸着層（23）が加熱され、吸着層（23）の吸着剤の水分が周囲の空気へ放出される。同時に、ファン制御部（36）は、乾燥動作において、熱歪材料（21）に室内空気（RA）を通過させるようにファン（30）のモータの回転方向を制御する。これにより、熱歪材料（21）の吸着層（23）から放出された水分が、室内空気（RA）に付与される。水分を含んだ室内空気（RA）は、排出空気（EA）として室外へ排出される。
【００８０】
一方、第２室内ユニット（U2）では、入力部（34）に運転信号が入力された時点から、連続的に熱歪材料（21）に張力を付与されて乾燥動作が行われる。すると、第２室内ユニット（U2）の熱歪材料（21）では、該熱歪材料（21）が発熱して吸着層（23）が加熱され、吸着層（23）の吸着剤の水分が周囲の空気へ放出される。同時に、ファン制御部（36）は、乾燥動作において、熱歪材料（21）に室内空気（RA）を通過させるようにファン（30）のモータの回転方向を制御する。これにより、熱歪材料（21）の吸着層（23）から放出された水分が、室内空気（RA）に付与される。水分を含んだ室内空気（RA）は、排出空気（EA）として室外へ排出される。
【００８１】
各室内ユニット（U1,U2）で乾燥動作がそれぞれ終了すると、ファン制御部（36）は、ファン（30）のモータを停止させる。その後、各室内ユニット（U1,U2）では、上記実施形態１と同様にして、解除動作が行われる。
【００８２】
変形例１では、実施形態１と同様にして、除湿運転が停止する際、各室内ユニット（U1,U2）の熱歪材料（21）の吸着層（23）を乾燥することができ、吸着層（23）の表面における菌やカビの繁殖を抑制できる。
【００８３】
なお、変形例１では、第２バッチ動作中において、入力部（34）に停止信号が入力された場合、図１０において、第１室内ユニット（U1）と第２室内ユニットとの各動作が全く逆となるように、それぞれの室内ユニット（U1,U2）で乾燥動作が行われる。
【００８４】
（変形例２）
図１１に示す変形例２は、２つの室内ユニット（U1，U2）を空調対象の室内（3）に設置するように構成している点は図９の装置（1）と共通している。図９の変形例１と異なる点は、第１室内ユニット（U1）と第２室内ユニット（U2）の両方を、図の右側の壁面に設置した点である。各室内ユニット（U1，U2）の構成は、図１及び図９の調湿装置（1）と同じである。
【００８５】
図１１（Ａ）は、第１室内ユニット（U1）で吸湿動作を行い、第２室内ユニット（U2）で放湿動作を行う状態を示している。第１室内ユニット（U1）では、調湿モジュール（20）の熱歪材料（21）への引張力が解除される。したがって、第１室内ユニット（U1）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００８６】
一方、第２室内ユニット（U2）では、室内空気（RA）が室外へ排出される方向へファン（30）が回転し、同時に調湿モジュール（20）の熱歪材料（21）に引張力が付与される。したがって、吸着層（23）に含まれている水分が空気に与えられて、排出空気（EA）として室外へ放出され、調湿モジュール（20）の吸着層（23）が再生される。
【００８７】
図１１（Ｂ）は、第２室内ユニット（U2）で吸湿動作を行い、第１室内ユニット（U1）で放湿動作を行う状態を示している。第２室内ユニット（U2）では、調湿モジュール（20）の熱歪材料（21）への引張力が解除される。したがって、第２室内ユニット（U2）の調湿モジュール（20）が吸熱し、室外空気（OA）が室外から室内（3）へ流れる際に空気中の水分が吸着される。そして、水分が吸着されて減湿された空気が供給空気（SA）として室内（3）へ供給される。
【００８８】
一方、第１室内ユニット（U1）では、室内空気（RA）が室外へ排出される方向へファン（30）が回転し、同時に調湿モジュール（20）の熱歪材料（21）に引張力が付与される。したがって、吸着層（23）に含まれている水分が空気に与えられて、排出空気（EA）として室外へ放出され、調湿モジュール（20）の吸着層（23）が再生される。
【００８９】
このように、実施形態１の変形例２によれば、いずれか一方の室内ユニット（U1，U2）で空気を減湿して、その空気を室内（3）へ供給するときに、他方の室内ユニット（U2，U1）では吸着層（23）を再生する図１１（Ａ）の運転と図１１（Ｂ）の運転を交互に切り換えることにより、除湿運転を連続して行うことができる。
【００９０】
変形例２では、除湿運転が停止される際、変形例１と同様にして乾燥動作が行われる（図１０を参照）。
【００９１】
（変形例３）
図１２に示す変形例３は、調湿装置（1）のケーシング（10）内に２つの調湿モジュール（20）を設け、一方の調湿モジュール（20）（第１調湿モジュール（20a））を通過した空気を室内（3）に供給して他方の調湿モジュール（20）（第２調湿モジュール（20b））を通過した空気を室外へ放出する第１バッチ動作と、第２調湿モジュール（20b）を通過した空気を室内（3）に供給して第１調湿モジュール（20a）を通過した空気を室外へ放出する第２バッチ動作とを切り換えるように構成したものである。
【００９２】
調湿装置（1）は、２つの調湿モジュール（20a，20b）と２つのファン（30a，30b）を１つのケーシング（10）内に収納した一体型の構成で、天井裏に設置されている。また、調湿装置（1）は、図１３に示すように、コントローラ（33）を備えている。コントローラ（33）には、実施形態１と同様にして、入力部（34）、アクチュエータ制御部（35）、及びファン制御部（36）が設けられる。また、変形例３のコントローラ（33）には、詳細は後述する複数のダンパ（D1〜D8）の開閉制御を行うダンパ制御部（37）が設けられる。
【００９３】
複数のダンパ（D1〜D8）及びダンパ制御部（37）は、熱歪材料（21）が収容される調湿室（C1,C2）を閉空間とするためのダンパ機構を構成する。また、このダンパ機構及びファン制御部（36）は、詳細は後述する乾燥動作において、熱歪材料（21）での空気の通過を禁止させる空気流通禁止機構を構成する。
【００９４】
図１４は、第１調湿モジュール（20a）を吸湿側にして第２調湿モジュール（20b）を放湿側にする第１バッチ動作を示し、図１５は、第２調湿モジュール（20b）を吸湿側にして第１調湿モジュール（20a）を放湿側にする第２バッチ動作を示している。また、図１４及び図１５において、それぞれ、（Ａ）図は平面構造図（装置を平面から見て内部構造を示す図）、（Ｂ）図は左側面構造図、（Ｃ）図は右側面構造図である。
【００９５】
この調湿装置（1）のケーシング（10）は、四角い箱形に形成されている。このケーシング（10）の１つの側壁面には、室外空気（OA）をケーシング（10）内に取り入れる第１吸込口（11）と、室内空気（RA）をケーシング（10）内に取り入れる第２吸込口（12）が設けられている。また、上記各吸込口（11,12）が設けられている側壁面の左右の側壁面には、供給空気（SA）を室内（3）に供給する第１吹出口（13）と、排出空気（EA）を室外に排出する第２吹出口（14）が設けられている。これらの第１吸込口（11）、第２吸込口（12）、第１吹出口（13）及び第２吹出口（14）には、それぞれ図１２に模式的に矢印で示すダクト（4a,4b,4c,4d）が接続されている。
【００９６】
上記ケーシング（10）内は、上記調湿モジュール（20）が配置された調湿室（C1,C2）と、ファン（30a,30b）が配置されたファン室（C3,C4）が設けられている。調湿室（C1,C2）は、図１４，図１５においてケーシング（10）内の左右に隣り合って位置する第１調湿室（C1）と第２調湿室（C2）とから構成されている。上記ファン室（C3,C4）は、同じくケーシング（10）の左右に隣り合って位置する第１ファン室（C3）と第２ファン室（C4）とから構成されている。第１ファン室（C3）には給気ファン（30a）が配置され、第２ファン室（C4）には排気ファン（30b）が配置されている。
【００９７】
また、上記各吸込口（11,12）と調湿室（C1,C2）の間には入口側通風室（C5,C6）が形成されている。入口側通風室（C5,C6）は、上記ケーシング（10）の上下２段に配置された第１入口側通風室（C5）と第２入口側通風室（C6）とから構成されている。第１入口側通風室（C5）には第１吸込口（11）が設けられ、第２入口側通風室（C6）には第２吸込口（12）が設けられている。各入口側通風室（C5,C6）と各調湿室（C1,C2）との間には、開閉可能なダンパ（D1,D2,D3,D4）が１枚ずつ、合計４枚設けられている。
【００９８】
上記調湿室（C1,C2）と上記ファン室（C3,C4）との間には出口側通風室（C7,C8）が形成されている。出口側通風室（C7,C8）は、上記ケーシング（10）の上下２段に配置された第１出口側通風室（C7）と第２出口側通風室（C8）とから構成されている。各調湿室（C1,C2）と各出口側通風室（C7,C8）との間には、開閉可能なダンパ（D5,D6,D7,D8）が１枚ずつ、合計４枚設けられている。
【００９９】
各出口側通風室（C7,C8）は、上記各ファン室（C3,C4）と連通している。上記第１吹出口（13）はケーシング（10）の第１ファン室（C3）側に設けられ、上記第２吹出口（14）はケーシング（10）の第２ファン室（C4）側に設けられている。
【０１００】
以上の構成においては、第１バッチ動作のとき、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。また、第２バッチ動作のとき、第２ダンパ（D2）、第３ダンパ（D3）、第６ダンパ（D6）及び第７ダンパ（D7）が開かれ、第１ダンパ（D1）、第４ダンパ（D4）、第５ダンパ（D5）及び第８ダンパ（D8）は閉じられる。
【０１０１】
このようにダンパ（D1〜D8）の開閉状態を制御することにより、第１バッチ動作においては、図１４に示すように、第１吸込口（11）からケーシング（10）内に導入された室外空気が、第１ダンパ（D1）、第１調湿モジュール（20a）及び第５ダンパ（D5）を通って第１吹出口（13）から室内（3）へ供給されるとともに、第２吸込口（12）からケーシング（10）内に導入された室内空気が、第４ダンパ（D4）、第２調湿モジュール（20b）及び第８ダンパ（D8）を通って第２吹出口（14）から室外へ排出される。また、第２バッチ動作においては、図１５に示すように、第１吸込口（11）からケーシング（10）内に導入された室外空気が、第３ダンパ（D3）、第２調湿モジュール（20b）及び第７ダンパ（D7）を通って第１吹出口（13）から室内（3）へ供給されるとともに、第２吹出口（14）からケーシング（10）内に導入された室内空気が、第２ダンパ（D2）、第１調湿モジュール（20a）及び第６ダンパ（D6）を通って第２吹出口（14）から室外へ排出される。
【０１０２】
そして、この実施形態１の変形例３では、ダンパの開閉状態を切り換えることにより、図１４の第１バッチ動作と図１５の第２バッチ動作が交互に繰り返される。
【０１０３】
この調湿装置（1）は除湿専用機として構成されているので、室内（3）へ供給される空気が通過する調湿モジュール（20）は、第１調湿モジュール（20a）と第２調湿モジュール（20b）のどちらに切り換わっても、吸湿動作が行われる方の調湿モジュール（20）である。したがって、室内（3）へは、減湿された空気が連続して供給される。また、室外へ排出される空気が通過する調湿モジュール（20）は、第２調湿モジュール（20b）と第１調湿モジュール（20a）のどちらに切り換わっても放湿動作が行われる方の調湿モジュール（20）である。したがって、室外へ放出される空気が通過する調湿モジュール（20）は、常に再生側となる。
【０１０４】
このように、実施形態１の変形例３によれば、いずれか一方の調湿モジュール（20a,20b）で空気を減湿して、その空気を室内（3）へ供給するときに、他方の調湿モジュール（20b,20a）では吸着層（23）を再生する図１４の動作と図１５の動作とを交互に切り換えることにより、除湿運転を連続して行うことができる。
【０１０５】
＜乾燥動作＞
次に、実施形態１の変形例３の調湿運転（除湿運転）が停止する際に行われる乾燥動作について説明する。
【０１０６】
例えば図１６に示すように、上述した除湿運転の第１バッチ動作中（第１調湿モジュール（20a）の吸湿動作中）において、コントローラ（33）の入力部（34）に除湿運転の停止信号が入力されたとする。すると、第２調湿モジュール（20b）では、熱歪材料（21）に連続して張力を付与され、停止信号の入力直後から乾燥動作が行われる。一方、第１調湿モジュール（20a）では、停止信号の入力直後から連続して吸湿動作が行われる。
【０１０７】
第１調湿モジュール（20a）での吸湿動作、及び第２調湿モジュール（20b）の乾燥動作が終了すると、ファン制御部（36）は、給気ファン（30a）及び排気ファン（30b）を停止させる。また、ダンパ制御部（37）は、全てのダンパ（D1〜D8）を閉状態とする。この結果、第１調湿室（C1）及び第２調湿室（C2）は、各空気通路から遮断される閉空間となる。
【０１０８】
ファンの停止指令、及びダンパの全閉指令が出力された直後において、第１調湿モジュール（20a）では、熱歪材料（21）に張力が付与される。この状態では、各ファン（30a,30b）が停止状態となり、且つ第１調湿室（C1）は閉空間となっている。このため、外部の高湿の空気が第１調湿室（C1）に入り込むことはない。第１調湿モジュール（20a）の熱歪材料（21）に張力が付与されると、吸着層（23）から第１調湿室（C1）内の空気へ水分が脱離し、吸着剤が乾燥される。
【０１０９】
一方、ファンの停止指令、及びダンパの全閉指令が出力された直後において、第２調湿モジュール（20b）では、上述した実施形態１と同様にして、解除動作が行われる。
【０１１０】
第１調湿モジュール（20a）の熱歪材料（21）に張力が付与され、吸着層（23）の水分が脱離した後には、乾燥動作の一部であるパージ動作が行われる。図１７に示すパージ動作では、第１調湿室（C1）内の空気が室外へ排出される。具体的に、パージ動作では、ダンパ制御部（37）が、第２ダンパ（D2）、第６ダンパ（D6）を開状態とし、残りのダンパ（D1,D3,D4,D5,D7,D8）を閉状態とする。また、パージ動作では、空気排出機構である排気ファン（30b）が運転状態となる。これにより、調湿装置では、室内空気（RA）が、第２吸込口（12）、第２入口側通風室（C6）、第１調湿室（C1）、第２出口側通風室（C8）、第２吹出口（14）を順に通過し、排出空気（EA）として室外へ排出される。このパージ動作では、比較的相対湿度の低い室内空気（RA）が、第１調湿室（C1）内の水分を含んで、室外へ排出される。これにより、閉空間とした第１調湿室（C1）において吸着層（23）から放出された水分を空気とともに室外へ排出でき、第１調湿室（C1）の湿度を低下させることができる。この結果、調湿装置を停止した際、第１調湿室（C1）内の水分が吸着層（23）に再び吸着してしまうことを防止できる。
【０１１１】
パージ動作が終了すると、ファン制御部（36）によって排気ファン（30b）が停止され、且つダンパ制御部（37）によって全てのダンパ（D1〜D8）が閉状態となる。そして、第１調湿モジュール（20a）では、上述した実施形態１と同様にして、解除動作が行われる。
【０１１２】
なお、変形例３では、第２バッチ動作中において、入力部（34）に停止信号が入力された場合、図１６において、第１調湿モジュール（20a）と調湿モジュール（20b）との各動作が全く逆となるように、それぞれの調湿モジュール（20a,20b）で乾燥動作が行われる。
【０１１３】
また、変形例３の調湿装置（1）において、実施形態１の変形例１の図１０と同様に、乾燥動作を行ってもよい。つまり、入力部（34）に停止信号が入力されると、調湿モジュール（20a）の吸湿動作の直後に調湿モジュール（20a）の熱歪材料（21）に張力を付与すると同時に、この熱歪材料（21）に室内空気（RA）を通過させ、通過後の空気を室外へ排出してもよい。
【０１１４】
なお、変形例３では、第２バッチ動作中において、入力部（34）に停止信号が入力された場合、図１６において、第１調湿モジュール（20a）と調湿モジュール（20b）との各動作が全く逆となるように、それぞれの調湿モジュール（20a,20b）で乾燥動作が行われる。
【０１１５】
（変形例４）
図１８に示す変形例４は、ロータ式の調湿モジュール（20）を用いた調湿装置（1）に関する例である。この調湿装置（1）も、除湿専用機として構成されている。
【０１１６】
この調湿装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１１７】
この変形例４の調湿装置（1）では、給気側通路（P1）で吸湿動作が行われ、排気側通路（P2）で放湿動作が行われる。具体的には、調湿モジュール（20）が給気側通路（P1）に位置する部分には引張力が付与されずに熱歪材料（21）が吸熱して吸着層（23）が冷却され、空気中の水分が吸着層（23）に吸着される。また、調湿モジュール（20）が排気側通路（P2）に位置する部分には引張力が付与されて熱歪材料（21）が放熱して吸着層（23）が加熱され、吸着層（23）に含まれている水分が空気に放出されて吸着剤が再生される。
【０１１８】
この実施形態では、吸湿動作と放湿動作は調湿モジュール（20）を連続的または間欠的に回転させながら行われる。したがって、調湿モジュール（20）を排気側通路（P2）で再生しながら、同時に給気側通路（P1）で吸湿処理することができるから、減湿された空気を連続して室内（3）へ供給することができる。
【０１１９】
この変形例４の調湿装置（1）においては、入力部（34）に調湿運転の停止信号が入力されると、吸湿側の熱歪材料（21）に空気を通過させるようにファン（30）をファン制御部（36）によって制御することで、熱歪材料（21）の吸着層（23）の吸着剤を乾燥させる。つまり、ファン（30）及びファン制御部（36）は、乾燥動作において、熱歪材料（21）に空気を通過させる空気搬送機構であって、該熱歪材料（21）の吸着層（23）の吸着剤を乾燥させる乾燥手段を構成する。
【０１２０】
具体的に、例えば夏期の除湿運転では、入力部（34）に停止信号が入力されると、熱歪材料（21）で吸湿動作が行われる側の空気通路（給気側通路（P1））に室内空気（RA）を流通させる。これにより、給気側通路（P1）では、吸着層（23）の吸着剤の水分が、室内空気（RA）に放出され、吸着剤の含水率が低下する。そして、この乾燥動作を所定時間行った後、ファン（30）を停止する。この結果、調湿装置（1）を長期に亘って停止させても、吸着層（23）の吸着剤の表面で菌やカビが発生することを防止できる。
【０１２１】
〈発明の実施形態２〉
次に、本発明の実施形態２について説明する。
【０１２２】
図１９に示す実施形態２は、図１に示す実施形態１の調湿装置（1）を加湿専用機として構成した例である。調湿装置（1）は、図１の調湿装置（1）と同様に、ケーシング（10）と、ケーシング（10）内に収納された調湿モジュール（20）と、調湿モジュール（20）に空気を流すファン（30）と、コントローラ（33）とを備えている。
【０１２３】
ケーシング（10）内には、該ケーシング（10）内に導入された空気を調湿モジュール（20）に通して室内（3）へ供給するための空気通路（P）が形成されている。この実施形態では、上記調湿モジュール（20）で放湿処理した空気をこの空気通路（P）により室内（3）に導入することにより、加湿運転（調湿運転）が行われる。この加湿運転は、室外空気（OA）の湿度が比較的低い冬期に行われる。
【０１２４】
加湿運転では、図１９(Ａ)に示す第１バッチ動作と、図１９(Ｂ)に示す第２バッチ動作とが交互に繰り返されることで、室内の加湿が間欠的に行われる。第１バッチ動作では、室外空気（OA）が放湿動作中の熱歪材料（21）を通過し、該熱歪材料（21）を通過した空気が供給空気（SA）として室内へ供給される。第２バッチ動作では、室内空気（RA）が吸湿動作中の熱歪材料（21）を通過し、該熱歪材料（21）を通過した空気が排出空気（EA）として室外へ排出される。
【０１２５】
また、実施形態２の調湿装置（1）では、加湿運転中に入力部（34）に停止信号が入力されると、実施形態１と同様にして、乾燥動作が行われる。具体的に、例えば図２０(Ａ)に示すように、第１バッチ動作中（放湿動作中）において、入力部（34）に停止信号が入力されると、その直後から連続して熱歪材料（21）に張力が付与され、乾燥動作が行われる。この際、熱歪材料（21）を室外空気（OA）が通過し、この空気は供給空気（SA）として室内へ供給される。加湿運転が行われる冬期等では、室外空気（OA）の温度及び絶対湿度が室内空気（RA）よりも低くなる傾向にある。熱歪材料（21）に導入された室外空気（OA）は、張力が付与された熱歪材料によって加熱されて相対湿度が低下する。このため、熱歪材料（21）に室外空気（OA）を通過させることで、熱歪材料（21）の吸着層（23）から水分が放出され易くなる。水分を含んだ室外空気（OA）は、排出空気（EA）として室外へ排出される。
【０１２６】
乾燥動作が終了すると、熱歪材料（21）への張力の解除動作が行われる。また、例えば２０(Ｂ)に示すように、第２バッチ動作中（吸湿動作中）において、入力部（34）に停止信号が入力されると、吸湿動作の終了の後に熱歪材料（21）に張力が付与され、乾燥動作が行われる。この際、熱歪材料（21）を室外空気（OA）が通過し、この空気は供給空気（SA）として室内へ供給される。乾燥動作が終了すると、熱歪材料（21）への張力の解除動作が行われる。
【０１２７】
（変形例１）
図２１に示す実施形態２の変形例１は、図９の調湿装置（1）を加湿専用機として構成した例である。部屋の対向する壁面の一方（図の右側の壁面）に第１室内ユニット（U1）が設置され、壁面の他方（図の左側の壁面）に第２室内ユニット（U2）が設置されている構成は、図９の調湿装置（1）と同じである。また、各室内ユニット（U1，U2）の構成は図２１の実施形態２と同じである。
【０１２８】
この調湿装置（1）では加湿運転のみが行われる。この加湿運転は、例えば室外空気（OA）の湿度が比較的低い冬期に行われる。この加湿運転では、第１バッチ動作と第２バッチ動作とが交互に繰り返されることで、室内の加湿が連続的に行われる。図２１(Ａ)に示す第１バッチ動作では、室外空気（OA）が第１室内ユニット（U1）の放湿動作中の熱歪材料（21）を通過し、該熱歪材料（21）を通過した空気が供給空気（SA）として室内へ供給される。同時に、第１バッチ動作では、室内空気（RA）が第２室内ユニット（U2）の吸湿動作中の熱歪材料（21）を通過し、該熱歪材料（21）を通過した空気が排出空気（EA）として室外へ排出される。また、図２１(Ｂ)に示す第２バッチ動作では、室外空気（OA）が第２室内ユニット（U2）の放湿動作中の熱歪材料（21）を通過し、該熱歪材料（21）を通過した空気が供給空気（SA）として室内へ供給される。同時に、第２バッチ動作では、室内空気（RA）が第１室内ユニット（U1）の吸湿動作中の熱歪材料（21）を通過し、該熱歪材料（21）を通過した空気が排出空気（EA）として室外へ排出される。そして、水分が与えられて加湿された空気が供給空気（SA）として室内（3）へ供給される。
【０１２９】
また、実施形態２の調湿装置（1）では、加湿運転中に入力部（34）に停止信号が入力されると、実施形態１と同様にして、乾燥動作が行われる。具体的に、例えば図２２に示すように、第１バッチ動作中（第１室内ユニット（U1）の調湿モジュールの放湿動作中）において、入力部（34）に停止信号が入力されると、第１室内ユニット（U1）では、その直後から連続して熱歪材料（21）に張力が付与され、乾燥動作が行われる。この際、熱歪材料（21）を室外空気（OA）が通過し、この空気は供給空気（SA）として室内へ供給される。乾燥動作が終了すると、熱歪材料（21）への張力の解除動作が行われる。
【０１３０】
一方、第２室内ユニット（U2）では、入力部（34）に停止信号が入力され且つ吸湿動作の終了の後に熱歪材料（21）に張力が付与され、乾燥動作が行われる。この際、熱歪材料（21）を室外空気（OA）が通過し、この空気は供給空気（SA）として室内へ供給される。乾燥動作が終了すると、熱歪材料（21）への張力の解除動作が行われる。
【０１３１】
（変形例２）
図２３に示す実施形態２の変形例２は、２つの室内ユニット（U1，U2）を空調対象の室内（3）に設置するように構成したものであり、図１１に示す実施形態１の変形例２の調湿装置（1）を加湿専用機として構成した例である。この変形例では、第１室内ユニット（U1）と第２室内ユニット（U2）の両方が、図の右側の壁面に設置されている。
【０１３２】
変形例２の加湿運転では、第１バッチ動作と第２バッチ動作とが交互に繰り返されることで、室内の加湿が連続的に行われる。図２３(Ａ)に示す第１バッチ動作では、室外空気（OA）が第１室内ユニット（U1）の放湿動作中の熱歪材料（21）を通過し、該熱歪材料（21）を通過した空気が供給空気（SA）として室内へ供給される。同時に、第１バッチ動作では、室内空気（RA）が第２室内ユニット（U2）の吸湿動作中の熱歪材料（21）を通過し、該熱歪材料（21）を通過した空気が排出空気（EA）として室外へ排出される。また、図２３(Ｂ)に示す第２バッチ動作では、室外空気（OA）が第２室内ユニット（U2）の放湿動作中の熱歪材料（21）を通過し、該熱歪材料（21）を通過した空気が供給空気（SA）として室内へ供給される。同時に、第２バッチ動作では、室内空気（RA）が第１室内ユニット（U1）の吸湿動作中の熱歪材料（21）を通過し、該熱歪材料（21）を通過した空気が排出空気（EA）として室外へ排出される。そして、水分が与えられて加湿された空気が供給空気（SA）として室内（3）へ供給される。
【０１３３】
また、変形例２では、実施形態２の変形例１と同様にして乾燥動作が行われる（図２２を参照）。
【０１３４】
（変形例３）
図２４に示す実施形態２の変形例３は、実施形態１の変形例３の調湿装置（1）を加湿専用機として構成した例である。実施形態２の変形例３の調湿装置（1）の構成は、基本的には実施形態１の変形例３と同様である。
【０１３５】
実施形態２の変形例３では、第１バッチ動作と第２バッチ動作とが交互に行われ、室内が連続的に加湿される。
【０１３６】
第１バッチ動作では、第１調湿モジュール（20a）の熱歪材料（21）に張力が付与され、第１調湿モジュール（20a）で放湿動作が行われる。同時に、第１バッチ動作では、第２調湿モジュール（20b）の熱歪材料（21）の張力が解除され、第２調湿モジュール（20b）で吸湿動作が行われる。また、第１バッチ動作では、第１ダンパ（D1）、第４ダンパ（D4）、第５ダンパ（D5）及び第８ダンパ（D8）が開かれ、第２ダンパ（D2）、第３ダンパ（D3）、第６ダンパ（D6）及び第７ダンパ（D7）は閉じられる。これにより、図２５に示すように、第１バッチ動作では、室外空気（OA）が第１調湿モジュール（20a）で加湿され、加湿された空気が供給空気（SA）として室内へ供給されると同時に、室内空気（RA）が第２調湿モジュール（20b）の吸着剤を再生し、排出空気（EA）として室外へ排出される。
【０１３７】
第２バッチ動作では、第２調湿モジュール（20b）の熱歪材料（21）に張力が付与され、第２調湿モジュール（20b）で放湿動作が行われる。同時に、第２バッチ動作では、第１調湿モジュール（20a）の熱歪材料（21）の張力が解除され、第１調湿モジュール（20a）で吸湿動作が行われる。また、第２バッチ動作では、第１ダンパ（D1）、第４ダンパ（D4）、第５ダンパ（D5）及び第８ダンパ（D8）が閉じられ、第２ダンパ（D2）、第３ダンパ（D3）、第６ダンパ（D6）及び第７ダンパ（D7）は開かれる。これにより、図２６に示すように、第２バッチ動作では、室外空気（OA）が第２調湿モジュール（20b）で加湿され、加湿された空気が供給空気（SA）として室内へ供給されると同時に、室内空気（RA）が第１調湿モジュール（20a）の吸着剤を再生し、排出空気（EA）として室外へ排出される。
【０１３８】
＜乾燥動作＞
次に、実施形態２の変形例３の調湿運転（加湿運転）が停止する際に行われる乾燥動作について説明する。
【０１３９】
例えば図２７に示すように、上述した加湿運転の第１バッチ動作中（第１調湿モジュール（20a）の放湿動作中）において、コントローラ（33）の入力部（34）に加湿運転の停止信号が入力されたとする。すると、第１調湿モジュール（20a）では、熱歪材料（21）に連続して張力を付与され、停止信号の入力直後から乾燥動作が行われる。一方、第２調湿モジュール（20b）では、停止信号の入力直後から連続して吸湿動作が行われる。
【０１４０】
第２調湿モジュール（20b）での吸湿動作、及び第１調湿モジュール（20a）の乾燥動作が終了すると、ファン制御部（36）は、給気ファン（30a）及び排気ファン（30b）を停止させる。また、ダンパ制御部（37）は、全てのダンパ（D1〜D8）を閉状態とする。この結果、第１調湿室（C1）及び第２調湿室（C2）は、各空気通路から遮断される閉空間となる。
【０１４１】
ファンの停止指令、及びダンパの全閉指令が出力された直後において、第２調湿モジュール（20b）では、熱歪材料（21）に張力が付与される。この状態では、各ファン（30a,30b）が停止状態となり、且つ第２調湿室（C2）は閉空間となっている。このため、外部の高湿の空気が第２調湿室（C2）に入り込むことはない。第２調湿モジュール（20b）の熱歪材料（21）に張力が付与されると、吸着層（23）から第２調湿室（C2）内の空気へ水分が脱離し、吸着剤が乾燥される。
【０１４２】
一方、ファンの停止指令、及びダンパの全閉指令が出力された直後において、第１調湿モジュール（20a）では、上述した実施形態１と同様にして、解除動作が行われる。
【０１４３】
第２調湿モジュール（20b）の熱歪材料（21）に張力が付与され、吸着層（23）の水分が脱離した後には、乾燥動作の一部であるパージ動作が行われる。図２８に示すパージ動作では、第２調湿室（C2）内の空気が室外へ排出される。具体的に、パージ動作では、ダンパ制御部（37）が、第３ダンパ（D3）、第８ダンパ（D8）を開状態とし、残りのダンパ（D1,D2,D4,D5,D6,D7）を閉状態とする。また、パージ動作では、空気排出機構である排気ファン（30b）が運転状態となる。これにより、調湿装置では、室外空気（OA）が、第１吸込口（11）、第１入口側通風室（C5）、第２調湿室（C2）、第２出口側通風室（C8）、第２吹出口（14）を順に通過し、排出空気（EA）として室外へ排出される。このパージ動作では、比較的相対湿度の低い室外空気（OA）が、第２調湿室（C2）内の水分を含んで、室外へ排出される。これにより、閉空間とした第２調湿室（C2）において吸着層（23）から放出された水分を空気とともに室外へ排出でき、第２調湿室（C2）の湿度を低下させることができる。この結果、調湿装置を停止した際、第２調湿室（C2）内の水分が吸着層（23）に再び吸着してしまうことを防止できる。なお、このパージ動作において、第２調湿室（C2）内の水分を含んだ空気を室内へ供給してもよい。
【０１４４】
パージ動作が終了すると、ファン制御部（36）によって排気ファン（30b）が停止され、且つダンパ制御部（37）によって全てのダンパ（D1〜D8）が閉状態となる。そして、第２調湿モジュール（20b）では、上述した実施形態１と同様にして、解除動作が行われる。      また、変形例３の調湿装置（1）において、実施形態２の変形例１の図２２と同様に、乾燥動作を行ってもよい。つまり、入力部（34）に停止信号が入力されると、調湿モジュール（20a）の吸湿動作の直後に調湿モジュール（20a）の熱歪材料（21）に張力を付与すると同時に、この熱歪材料（21）に室内空気（RA）を通過させ、通過後の空気を室外へ排出してもよい。
【０１４５】
なお、変形例３では、第２バッチ動作中において、入力部（34）に停止信号が入力された場合、図２７において、第１調湿モジュール（20a）と調湿モジュール（20b）との各動作が全く逆となるように、それぞれの調湿モジュール（20a,20b）で乾燥動作が行われる。
【０１４６】
（変形例４）
図２９に示す実施形態２の変形例４は、ロータ式の調湿モジュール（20）を用いた調湿装置（1）に関するものである。この調湿装置（1）も、実施形態２及びその変形例１〜３と同様に加湿専用機として構成されている。調湿装置（1）の構成は、実施形態１の変形例４と同様である。
【０１４７】
この変形例４の調湿装置（1）では、給気側通路（P1）で放湿動作が行われ、排気側通路（P2）で吸湿動作が行われる。具体的には、調湿モジュール（20）が給気側通路（P1）に位置する部分には引張力が付与されて熱歪材料（21）が放熱して吸着剤が加熱され、吸着剤が再生されるとともに吸着剤に含まれている水分が空気に与えられる。また、調湿モジュール（20）が排気側通路（P2）に位置する部分には引張力が付与されずに熱歪材料（21）が吸熱して吸着剤が冷却され、空気中の水分が吸着剤に吸着される。
【０１４８】
この実施形態では、放湿動作と吸湿動作は調湿モジュール（20）を連続的または間欠的に回転させながら行われる。したがって、調湿モジュール（20）を排気側通路（P2）で吸湿処理しながら、同時に給気側通路（P1）で放湿処理することができるから、加湿された空気を連続して室内（3）へ供給することができる。
【０１４９】
この変形例４の調湿装置（1）においては、入力部（34）に調湿運転の停止信号が入力されると、吸湿側の熱歪材料（21）に空気を通過させるようにファン（30）をファン制御部（36）によって制御することで、熱歪材料（21）の吸着層（23）の吸着剤を乾燥させる。つまり、ファン（30）及びファン制御部（36）は、乾燥動作において、熱歪材料（21）に空気を通過させる空気搬送機構であって、該熱歪材料（21）の吸着層（23）の吸着剤を乾燥させる乾燥手段を構成する。
【０１５０】
具体的に、例えば冬期の加湿運転では、入力部（34）に停止信号が入力されると、熱歪材料（21）で吸湿動作が行われる側の空気通路（排気側通路（P2））に室外空気（OA）を流通させる。これにより、排気側通路（P2）では、吸着層（23）の吸着剤の水分が、室内空気（RA）に放出され、吸着剤の含水率が低下する。そして、この乾燥動作を所定時間行った後、ファン（30）を停止する。この結果、調湿装置（1）を長期に亘って停止させても、吸着層（23）の吸着剤の表面で菌やカビが発生することを防止できる。
【０１５１】
〈発明の実施形態３〉
次に、本発明の実施形態３について説明する。
【０１５２】
図３０に示す実施形態３は、図１１に示す実施形態１の変形例２に係る調湿装置（1）が除湿専用機であるのに対して、空気の冷却もできるように構成した例である。この調湿装置（1）も図１１の例と同様に２つの室内ユニット（U1，U2）を備え、第１室内ユニット（U1）と第２室内ユニット（U2）の両方が図の一つの壁面（右側の壁面）に設置されている。
【０１５３】
この調湿装置（1）では、第１室内ユニット（U1）と第２室内ユニット（U2）に、上記調湿モジュール（20）に加えて、該調湿モジュール（20）に吸着層（23）を設けずに空気の冷却と加熱を行うように構成した冷却加熱モジュール（24）が設けられている。つまり、この冷却加熱モジュール（24）は、図２，図４において、熱歪材料（21）と、この熱歪材料（21）に引張力を付与するように該熱歪材料（21）の両端部に設けられたアクチュエータ（22）と、該アクチュエータ（22）による引張力を調節するアクチュエータ制御部（35）のみから構成されている。冷却加熱モジュール（24）では、引張力を付与すると空気を加熱することができ、引張力を解除すると空気を冷却することができる。
【０１５４】
この実施形態３では、第１室内ユニット（U1）と第２室内ユニット（U2）のいずれについても、空気は調湿モジュール（20）と冷却加熱モジュール（24）を通過する。したがって、この調湿装置（1）では、空気の吸湿処理及び放湿処理を行うことに加えて、空気の冷却処理と加熱処理も行うことができる。
【０１５５】
調湿モジュール（20）と冷却加熱モジュール（24）は、調湿モジュール（20）の吸湿動作時に調湿モジュール（20）が冷却加熱モジュール（24）の上流側に位置し、調湿モジュール（20）の放湿動作時には調湿モジュール（20）が冷却加熱モジュール（24）の下流側に位置するように配置されている。
【０１５６】
図３０（Ａ）は、第１室内ユニット（U1）で冷却吸湿動作を行い、第２室内ユニット（U2）で加熱放湿動作を行う状態を示している。第１室内ユニット（U1）では、調湿モジュール（20）の熱歪材料（21）への引張力が解除される。したがって、第１室内ユニット（U1）の調湿モジュール（20）が吸熱し、室外から室内（3）へ流れる室外空気（OA）の水分が吸着される。また、第１室内ユニット（U1）では、冷却加熱モジュール（24）への引張力の付与も解除される。したがって、室外から室内（3）へ流れる空気が冷却される。そして、減湿されるとともに冷却された空気が供給空気（SA）として室内（3）へ供給される。
【０１５７】
一方、第２室内ユニット（U2）では、室内空気（RA）が室外へ排出される方向へファン（30）が回転し、同時に冷却加熱モジュール（24）の熱歪材料（21）に引張力が付与され、調湿モジュール（20）の熱歪材料（21）にも引張力が付与される。したがって、室内（3）から室外へ向かう空気が冷却加熱モジュール（24）で加熱されてから調湿モジュール（20）を通過し、その際に調湿モジュール（20）も発熱しているので、調湿モジュール（20）の吸着層（23）に含まれている水分が空気に与えられて、該空気が排出空気（EA）として室外に放出される。このことにより、調湿モジュール（20）の吸着層（23）が再生される。
【０１５８】
図３０（Ｂ）は、第２室内ユニット（U2）で冷却吸湿動作を行い、第１室内ユニット（U1）で加熱放湿動作を行う状態を示している。第２室内ユニット（U2）では、調湿モジュール（20）の熱歪材料（21）への引張力が解除される。したがって、第２室内ユニット（U2）の調湿モジュール（20）が吸熱し、室外から室内（3）へ流れる室外空気（OA）の水分が吸着される。また、第２室内ユニット（U2）では、冷却加熱モジュール（24）の熱歪材料（21）への引張力の付与も解除される。したがって、室外から室内（3）へ流れる空気が冷却される。そして、減湿されるとともに冷却された空気が供給空気（SA）として室内（3）へ供給される。
【０１５９】
一方、第１室内ユニット（U1）では、室内空気（RA）が室外へ排出される方向へファン（30）が回転し、同時に冷却加熱モジュール（24）の熱歪材料（21）に引張力が付与され、調湿モジュール（20）の熱歪材料（21）にも引張力が付与される。したがって、室内（3）から室外へ向かう空気が冷却加熱モジュール（24）で加熱されてから調湿モジュール（20）を通過し、その際に調湿モジュール（20）も発熱しているので、調湿モジュール（20）の吸着層（23）に含まれている水分が空気に与えられて、該空気が排出空気（EA）として室外に放出される。このことにより、調湿モジュール（20）の吸着層（23）が再生される。
【０１６０】
このように、実施形態３によれば、いずれか一方の室内ユニット（U1，U2）で空気の減湿と冷却を行って、その空気を室内（3）へ供給するときに、他方の室内ユニット（U2，U1）では空気の加熱と吸着層（23）の再生を行う図３０(Ａ)の運転と図３０(Ｂ)の運転を交互に切り換えることにより、除湿冷房運転を連続して行うことができる。
【０１６１】
なお、この実施形態では、空気の流れに対して調湿モジュール（20）と冷却加熱モジュール（24）を直列に配置して、潜熱処理をした室外空気をさらに顕熱処理して室内に供給するようにしているが、調湿モジュール（20）と冷却加熱モジュール（24）を並列に配置して、潜熱処理をした室外空気と顕熱処理をした室外空気を混合して室内に供給するようにしてもよい。このように構成してもよいことは、以下の変形例においても同様である。
【０１６２】
実施形態３においても、除湿冷房運転（除湿運転）の停止信号の入力部（34）に入力されると、実施形態１の変形例１と同様にして（図１０を参照）、熱歪材料（21）に張力が付与されて各室内ユニット（U1,U2）で乾燥動作が行われる。また、乾燥動作中には、張力が付与された熱歪材料（21）を室内空気（RA）が通過し、室外へと排出される。
【０１６３】
−実施形態３の変形例−
（変形例１）
図３１に示す実施形態３の変形例１は、ロータ式の調湿モジュール（20）を用いた調湿装置（1）に関するものである。この調湿装置（1）は、ロータ式の調湿モジュール（20）に加えて、ロータ式の冷却加熱モジュール（24）も備え、除湿冷房を行えるように構成されている。
【０１６４】
この調湿装置（1）のケーシング（10）には、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１６５】
また、冷却加熱モジュール（24）も円板状に形成され、上記ケーシング（10）内で給気側通路（P1）と排気側通路（P2）に跨って配置されている。この冷却加熱モジュール（24）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１６６】
この変形例１の調湿装置（1）では、給気側通路（P1）で冷却吸湿動作が行われ、排気側通路（P2）で加熱放湿動作が行われる。具体的には、調湿モジュール（20）が給気側通路（P1）に位置する部分には引張力が付与されずに熱歪材料（21）が吸熱して吸着層（23）が冷却され、室外空気（OA）中の水分が吸着層（23）に吸着される。また、冷却加熱モジュール（24）が給気側通路（P1）に位置する部分には引張力が付与されずに熱歪材料（21）が吸熱し、空気が冷却される。そして、減湿されて冷却された空気が供給空気（SA）として室内（3）に供給される。
【０１６７】
一方、冷却加熱モジュール（24）が排気側通路（P2）に位置する部分には引張力が付与されて熱歪材料（21）が放熱し、室内（3）から室外へ向かう室内空気（RA）が加熱される。また、調湿モジュール（20）が排気側通路（P2）に位置する部分には引張力が付与されて熱歪材料（21）が放熱して吸着層（23）が加熱され、吸着層（23）に含まれている水分が室内空気（RA）に放出されて吸着層（23）が再生される。そして、水分の与えられた空気が排出空気（EA）として室外へ放出される。
【０１６８】
この変形例では、冷却吸湿動作と加熱放湿動作は調湿モジュール（20）と冷却加熱モジュール（24）を連続的または間欠的に回転させながら行われる。したがって、調湿モジュール（20）を排気側通路（P2）で再生しながら、同時に給気側通路（P1）で吸湿冷却処理することができるから、減湿かつ冷却された空気を連続して室内（3）へ供給することができる。
【０１６９】
この変形例の調湿装置（1）の除湿運転では、入力部（34）に停止信号が入力されると、熱歪材料（21）で吸湿動作が行われる側の空気通路（給気側通路（P1））に室内空気（RA）を流通させる。これにより、給気側通路（P1）では、吸着層（23）の吸着剤の水分が、室内空気（RA）に放出され、吸着剤の含水率が低下する。そして、この乾燥動作を所定時間行った後、ファン（30）を停止する。また、加湿運転では、入力部（34）に停止信号が入力されると、熱歪材料（21）で吸湿動作が行われる側の空気通路（排気側通路（P2））に室外空気（OA）を流通させる。これにより、排気側通路（P2）では、吸着層（23）の吸着剤の水分が、室内空気（RA）に放出され、吸着剤の含水率が低下する。
【０１７０】
（変形例２）
図３２に示す実施形態３の変形例２は、図３０に示した実施形態３に係る調湿装置（1）が除湿冷房機であるのに対して、加湿暖房機として構成した例である。この変形例においても、第１室内ユニット（U1）と第２室内ユニット（U2）の両方が、図の右側の壁面に設置されている。
【０１７１】
この調湿装置（1）においても、第１室内ユニット（U1）と第２室内ユニット（U2）に、上記調湿モジュール（20）に加えて、該調湿モジュール（20）に吸着層（23）を設けずに空気の冷却と加熱を行うように構成した冷却加熱モジュール（24）が設けられている。つまり、この冷却加熱モジュール（24）は、図２，図４において、熱歪材料（21）と、この熱歪材料（21）に引張力を付与するように該熱歪材料（21）の両端部に設けられたアクチュエータ（22）と、該アクチュエータ（22）による引張力を調節するアクチュエータ制御部（35）のみから構成されている。冷却加熱モジュール（24）では、引張力を付与すると空気を加熱することができ、引張力を解除すると空気を冷却することができる。
【０１７２】
第１室内ユニット（U1）と第２室内ユニット（U2）は、図３０の実施形態３と同様に構成されている。
【０１７３】
図３２（Ａ）は、第１室内ユニット（U1）で加熱放湿動作を行い、第２室内ユニット（U2）で冷却吸湿動作を行う状態を示している。第１室内ユニット（U1）では、調湿モジュール（20）の熱歪材料（21）に引張力が付与される。したがって、第１室内ユニット（U1）の調湿モジュール（20）が放熱し、室外から室内（3）へ流れる室外空気（OA）に水分が与えられる。また、第１室内ユニット（U1）では、冷却加熱モジュール（24）へも引張力が付与される。したがって、室外から室内（3）へ流れる室外空気（OA）が加熱される。そして、加湿されるとともに加熱された空気が供給空気（SA）として室内（3）へ供給される。
【０１７４】
一方、第２室内ユニット（U2）では、室内空気（RA）が室外へ排出される方向へファン（30）が回転し、同時に冷却加熱モジュール（24）の熱歪材料（21）への引張力の付与が解除され、調湿モジュール（20）の熱歪材料（21）への引張力の付与も解除される。したがって、室内（3）から室外へ向かう室内空気（RA）が冷却加熱モジュール（24）で冷却されてから調湿モジュール（20）を通過する。その際に、調湿モジュール（20）も吸熱しているので、調湿モジュール（20）の吸着層（23）に室内空気（RA）中の水分が吸着されて、該空気が排出空気（EA）として室外に放出される。
【０１７５】
図３２（Ｂ）は、第２室内ユニット（U2）で加熱放湿動作を行い、第１室内ユニット（U1）で冷却吸湿動作を行う状態を示している。第２室内ユニット（U2）では、調湿モジュール（20）の熱歪材料（21）に引張力が付与される。したがって、第２室内ユニット（U2）の調湿モジュール（20）が発熱し、室外から室内（3）へ流れる室外空気（OA）に水分が与えられる。また、第２室内ユニット（U2）では、冷却加熱モジュール（24）にも引張力が付与される。したがって、室外から室内（3）へ流れる室外空気（OA）が加熱される。そして、加湿されるとともに加熱された空気が供給空気（SA）として室内（3）へ供給される。
【０１７６】
一方、第１室内ユニット（U1）では、室内空気（RA）が室外へ排出される方向へファン（30）が回転し、同時に冷却加熱モジュール（24）の熱歪材料（21）への引張力の付与が解除され、調湿モジュール（20）の熱歪材料（21）への引張力の付与も解除される。したがって、室内（3）から室外へ向かう室内空気（RA）が冷却加熱モジュール（24）で冷却されてから調湿モジュール（20）を通過する。その際に、調湿モジュール（20）も吸熱しているので、調湿モジュール（20）の吸着層（23）に室内空気（RA）中の水分が吸着されて、該空気が排出空気（EA）として室外に放出される。
【０１７７】
この実施形態３の変形例２によれば、いずれか一方の室内ユニット（U1，U2）で空気の加湿と加熱を行って、その空気を室内（3）へ供給するときに、他方の室内ユニット（U2，U1）では空気の冷却と吸着層（23）での吸湿を行う図３２（Ａ）の運転と図３２（Ｂ）の運転を交互に切り換えることにより、加湿暖房運転を連続して行うことができる。
【０１７８】
この変形例２においても、加湿暖房運転（除湿運転）の停止信号の入力部（34）に入力されると、実施形態２の変形例１と同様にして（図２２を参照）、熱歪材料（21）に張力が付与されて各室内ユニット（U1,U2）で乾燥動作が行われる。また、乾燥動作中には、張力が付与された熱歪材料（21）を室外空気（OA）が通過し、室内へ供給される。
【０１７９】
（変形例３）
図３３に示す実施形態３の変形例３は、図３１に示す変形例１に係る調湿装置（1）が除湿冷房機であるのに対して、加湿暖房機として構成した例である。この変形例においても、ロータ式の調湿モジュール（20）に加えて、ロータ式の冷却加熱モジュール（24）が用いられている。
【０１８０】
この調湿装置（1）のケーシング（10）、調湿モジュール（20）及び冷却加熱モジュール（24）は図３１と同様に構成されている。
【０１８１】
具体的には、調湿装置（1）のケーシング（10）に、給気側通路（P1）と排気側通路（P2）が設けられている。給気側通路（P1）には給気ファン（30a）が設けられ、排気側通路（P2）には排気ファン（30b）が設けられている。上記調湿モジュール（20）は円板状に形成され、上記ケーシング（10）内で給気側通路（P1）と排気側通路（P2）に跨って配置されている。この調湿モジュール（20）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。また、冷却加熱モジュール（24）も円板状に形成され、上記ケーシング（10）内で給気側通路（P1）と排気側通路（P2）に跨って配置されている。この冷却加熱モジュール（24）は、回転軸を中心として回転することにより、給気側通路（P1）の中に位置していた部分が排気側通路（P2）の中へ移動し、排気側通路（P2）の中に位置していた部分が給気側通路（P1）の中へ移動できるように構成されている。
【０１８２】
この変形例３の調湿装置（1）では、給気側通路（P1）で加熱放湿動作が行われ、排気側通路（P2）で冷却吸湿動作が行われる。具体的には、調湿モジュール（20）が給気側通路（P1）に位置する部分には、引張力が付与されることにより熱歪材料（21）が発熱して吸着剤が加熱され、吸着剤に吸着されている水分が空気に与えられる。また、冷却加熱モジュール（24）が給気側通路（P1）に位置する部分には、引張力が付与されることにより熱歪材料（21）が発熱し、空気が加熱される。
【０１８３】
一方、冷却加熱モジュール（24）が排気側通路（P2）に位置する部分には、引張力の付与が解除されて熱歪材料（21）が吸熱して、室内（3）から室外へ向かう空気が冷却される。また、調湿モジュール（20）が排気側通路（P2）に位置する部分には、引張力の付与が解除されて熱歪材料（21）が吸熱して吸着剤が冷却され、空気中の水分が吸着剤に吸着される。
【０１８４】
この実施形態３の変形例３では、加熱放湿動作と冷却吸湿動作は調湿モジュール（20）を連続的または間欠的に回転させながら行われる。したがって、調湿モジュール（20）に排気側通路（P2）で水分を与えながら、同時に給気側通路（P1）で放湿加熱処理することができるから、加熱加湿された空気を連続して室内（3）へ供給する加湿暖房運転を行うことができる。
【０１８５】
この変形例の調湿装置（1）の除湿冷房運転では、入力部（34）に停止信号が入力されると、熱歪材料（21）で吸湿動作が行われる側の空気通路（給気側通路（P1））に室内空気（RA）を流通させる。これにより、給気側通路（P1）では、吸着層（23）の吸着剤の水分が、室内空気（RA）に放出され、吸着剤の含水率が低下する。そして、この乾燥動作を所定時間行った後、ファン（30）を停止する。また、加湿暖房運転では、入力部（34）に停止信号が入力されると、熱歪材料（21）で吸湿動作が行われる側の空気通路（排気側通路（P2））に室外空気（OA）を流通させる。これにより、排気側通路（P2）では、吸着層（23）の吸着剤の水分が、室内空気（RA）に放出され、吸着剤の含水率が低下する。
【０１８６】
〈発明の実施形態４〉
本発明の実施形態４について説明する。
【０１８７】
この実施形態４の調湿装置（1）は、図１及び図２１に示す調湿装置（1）において、調湿モジュール（20）で吸湿処理した空気を室内（3）に導入する除湿動作と、調湿モジュール（20）で放湿処理した空気を室内（3）に導入する加湿動作とを切り換え可能に構成したものである。
【０１８８】
例えば、図１の調湿装置（1）において、室外から室内（3）へ空気を供給するときに、図１（Ａ）に示すように調湿モジュール（20）の熱歪材料（21）への引張力を解除する運転と、図２１（Ａ）に示すように調湿モジュール（20）の熱歪材料（21）に引張力を付与する運転とを切り換え可能に構成され、室内（3）から室外へ空気を放出するときに、図１（Ｂ）に示すように調湿モジュール（20）に引張力を付与する運転と、図２１（Ｂ）に示すように調湿モジュール（20）への引張力を解除する運転とを切り換え可能に構成される。
【０１８９】
このように構成すれば、１つの調湿モジュール（20）を備えた室内ユニット（U）を有する調湿装置（1）において、室内（3）を間欠的に除湿する運転と、室内（3）を間欠的に加湿する運転とを切り換えて行うことが可能になる。
【０１９０】
この調湿装置（1）では、除湿運転中において、入力部（34）に停止信号が入力されると、図８に示すように乾燥動作が行われる。また、加湿運転中において、入力部（34）に停止信号が入力されると、図２０に示すように乾燥動作が行われる。
【０１９１】
−実施形態４の変形例−
（変形例１）
実施形態４の変形例１は、図９及び図２１の調湿装置（1）において、引張力の付与状態を切り換えることにより、図９（Ａ）の運転と図２１（Ａ）の運転とを切り換え可能に構成するとともに、図９（Ｂ）の運転と図２１（Ｂ）の運転とを切り換え可能に構成したものである。装置の基本的な構成は図９及び図２１と同様であるため、具体的な説明は省略する。
【０１９２】
この調湿装置（1）において、図９（Ａ），（Ｂ）の運転では、室外から室内（3）へ供給される空気が通過する調湿モジュール（20）への引張力が解除され、室内（3）から室外へ排出される空気が通過する調湿モジュール（20）へ引張力が付与される。また、図２１（Ａ），（Ｂ）の運転では、室外から室内（3）へ供給される空気が通過する調湿モジュール（20）に引張力が付与され、室内（3）から室外へ排出される空気が通過する調湿モジュール（20）への引張力が解除される。
【０１９３】
このように構成すれば、２つの室内ユニット（U1，U2）を部屋の対向する壁面に設置した調湿装置（1）において、室内（3）を連続的に除湿する運転と、室内（3）を連続的に加湿する運転とを切り換えて行うことが可能になる。
【０１９４】
この調湿装置（1）では、除湿運転中において、入力部（34）に停止信号が入力されると、図１０に示すように乾燥動作が行われる。また、加湿運転中において、入力部（34）に停止信号が入力されると、図２２に示すように乾燥動作が行われる。
【０１９５】
（変形例２）
実施形態４の変形例２は、図１１及び図２３の調湿装置（1）において、引張力の付与状態を切り換えることにより、図１１（Ａ）の運転と図２３（Ａ）の運転とを切り換え可能に構成するとともに、図１１（Ｂ）の運転と図２３（Ｂ）の運転とを切り換え可能に構成したものである。装置の基本的な構成は図１１及び図２３と同様であるため、具体的な説明は省略する。
【０１９６】
この調湿装置（1）において、図１１（Ａ），（Ｂ）の運転では、室外から室内（3）へ供給される空気が通過する調湿モジュール（20）への引張力が解除され、室内（3）から室外へ排出される空気が通過する調湿モジュール（20）へ引張力が付与される。また、図２３（Ａ），（Ｂ）の運転では、室外から室内（3）へ供給される空気が通過する調湿モジュール（20）に引張力が付与され、室内（3）から室外へ排出される空気が通過する調湿モジュール（20）への引張力が解除される。
【０１９７】
このように構成すれば、２つの室内ユニット（U1，U2）を部屋の一方の壁面に設置した調湿装置（1）において、室内（3）を連続的に除湿する運転と、室内（3）を連続的に加湿する運転とを切り換えて行うことが可能になる。
【０１９８】
この調湿装置（1）では、除湿運転中において、入力部（34）に停止信号が入力されると、図１０に示すように乾燥動作が行われる。また、加湿運転中において、入力部（34）に停止信号が入力されると、図２２に示すように乾燥動作が行われる。
【０１９９】
（変形例３）
実施形態４の変形例３は、図１２〜図１５及び図２４〜図２６の調湿装置（1）において、引張力の付与状態を切り換えることにより、図１４の運転と図２５の運転とを切り換え可能に構成するとともに、図１５の運転と図２６の運転とを切り換え可能に構成したものである。装置の基本的な構成は図１２〜図１５及び図２４〜図２６と同様であるため、具体的な説明は省略する。
【０２００】
この調湿装置（1）において、図１４，１１の運転では、室外から室内（3）へ供給される空気が通過する調湿モジュール（20）への引張力が解除され、室内（3）から室外へ排出される空気が通過する調湿モジュール（20）へ引張力が付与される。また、図２５，１８の運転では、室外から室内（3）へ供給される空気が通過する調湿モジュール（20）に引張力が付与され、室内（3）から室外へ排出される空気が通過する調湿モジュール（20）への引張力が解除される。
【０２０１】
このように構成すれば、２つの調湿モジュール（20）を備えたケーシング（10）内で空気の流通経路を切り換え可能なユニットを用いた調湿装置（1）において、室内（3）を連続的に除湿する運転と、室内（3）を連続的に加湿する運転とを切り換えて行うことが可能になる。
【０２０２】
この調湿装置（1）では、除湿運転中において、入力部（34）に停止信号が入力されると、図１６に示すように乾燥動作が行われる。また、加湿運転中において、入力部（34）に停止信号が入力されると、図２７に示すように乾燥動作が行われる。
【０２０３】
（変形例４）
実施形態４の変形例４は、図１８の調湿装置（1）と図２９の調湿装置（1）を１つの装置として構成し、引張力の付与状態を切り換えることにより、図１８の運転と図２９の運転を切り換え可能に構成したものである。装置の基本的な構成は図１８及び図２９と同様であるため、具体的な説明は省略する。
【０２０４】
この調湿装置（1）において、図１８の運転では、室外から室内（3）へ供給される空気が通過する部分において調湿モジュール（20）への引張力が解除され、室内（3）から室外へ排出される空気が通過する部分において調湿モジュール（20）へ引張力が付与される。また、図２９の運転では、室外から室内（3）へ供給される空気が通過する部分において調湿モジュール（20）に引張力が付与され、室内（3）から室外へ排出される空気が通過する部分において調湿モジュール（20）への引張力が解除される。
【０２０５】
このように構成すれば、ロータ式の調湿モジュール（20）を備えた調湿装置（1）において、室内（3）を連続的に除湿する運転と、室内（3）を連続的に加湿する運転とを切り換えて行うことが可能になる。
【０２０６】
この変形例の調湿装置（1）の除湿冷房運転では、入力部（34）に停止信号が入力されると、熱歪材料（21）で吸湿動作が行われる側の空気通路（給気側通路（P1））に室内空気（RA）を流通させる。これにより、給気側通路（P1）では、吸着層（23）の吸着剤の水分が、室内空気（RA）に放出され、吸着剤の含水率が低下する。そして、この乾燥動作を所定時間行った後、ファン（30）を停止する。また、加湿暖房運転では、入力部（34）に停止信号が入力されると、熱歪材料（21）で吸湿動作が行われる側の空気通路（排気側通路（P2））に室外空気（OA）を流通させる。これにより、排気側通路（P2）では、吸着層（23）の吸着剤の水分が、室内空気（RA）に放出され、吸着剤の含水率が低下する。
【０２０７】
（変形例５）
実施形態４の変形例５は、図３０及び図３２の調湿装置（1）において、引張力の付与状態を切り換えることにより、図３０（Ａ）の運転と図３２（Ａ）の運転とを切り換え可能に構成するとともに、図３０（Ｂ）の運転と図３２（Ｂ）の運転とを切り換え可能に構成したものである。装置の基本的な構成は図３０及び図３２と同様であるため、具体的な説明は省略する。
【０２０８】
この調湿装置（1）において、図３０（Ａ），（Ｂ）の運転では、室外から室内（3）へ供給される空気が通過する調湿モジュール（20）と冷却加熱モジュール（24）への引張力が解除され、室内（3）から室外へ排出される空気が通過する調湿モジュール（20）と冷却加熱モジュール（24）へ引張力が付与される。また、図３２（Ａ），（Ｂ）の運転では、室外から室内（3）へ供給される空気が通過する調湿モジュール（20）と冷却加熱モジュール（24）に引張力が付与され、室内（3）から室外へ排出される空気が通過する調湿モジュール（20）と冷却加熱モジュール（24）への引張力が解除される。
【０２０９】
このように構成すれば、２つの室内ユニット（U1，U2）のそれぞれに調湿モジュール（20）と冷却加熱モジュール（24）を設けた調湿装置（1）において、室内（3）を連続的に除湿冷房する運転と、室内（3）を連続的に加湿暖房する運転とを切り換えて行うことが可能になる。
【０２１０】
この調湿装置（1）では、除湿冷房運転（除湿運転）中において、入力部（34）に停止信号が入力されると、図１０に示すように乾燥動作が行われる。また、加湿暖房運転（加湿運転）中において、入力部（34）に停止信号が入力されると、図２２に示すように乾燥動作が行われる。
【０２１１】
（変形例６）
実施形態４の変形例６は、図３１の調湿装置（1）と図３３の調湿装置（1）を１つの装置として構成し、引張力の状態を切り換えることにより、図３１の運転と図３３の装置の運転を切り換え可能に構成したものである。装置の基本的な構成は図３１及び図３３と同様であるため、具体的な説明は省略する。
【０２１２】
この調湿装置（1）において、図３１の運転では、室外から室内（3）へ供給される空気が通過する部分において調湿モジュール（20）と冷却加熱モジュール（24）への引張力が解除され、室内（3）から室外へ排出される空気が通過する部分において調湿モジュール（20）と冷却加熱モジュール（24）へ引張力が付与される。また、図３３の運転では、室外から室内（3）へ供給される空気が通過する部分において調湿モジュール（20）と冷却加熱モジュール（24）に引張力が付与され、室内（3）から室外へ排出される空気が通過する部分において調湿モジュール（20）と冷却加熱モジュール（24）への引張力が解除される。
【０２１３】
このように構成すれば、ロータ式の調湿モジュール（20）と冷却加熱モジュール（24）を備えた調湿装置（1）において、室内（3）を連続的に除湿冷房する運転と、室内（3）を連続的に加湿暖房する運転とを切り換えて行うことが可能になる。
【０２１４】
この変形例の調湿装置（1）の除湿冷房運転では、入力部（34）に停止信号が入力されると、熱歪材料（21）で吸湿動作が行われる側の空気通路（給気側通路（P1））に室内空気（RA）を流通させる。これにより、給気側通路（P1）では、吸着層（23）の吸着剤の水分が、室内空気（RA）に放出され、吸着剤の含水率が低下する。そして、この乾燥動作を所定時間行った後、ファン（30）を停止する。また、加湿暖房運転では、入力部（34）に停止信号が入力されると、熱歪材料（21）で吸湿動作が行われる側の空気通路（排気側通路（P2））に室外空気（OA）を流通させる。これにより、排気側通路（P2）では、吸着層（23）の吸着剤の水分が、室内空気（RA）に放出され、吸着剤の含水率が低下する。
【０２１５】
〈発明の実施形態５〉
本発明の実施形態５について説明する。図３４に示す実施形態５は、調湿モジュール（20）の具体的な構成に関するものである。本実施形態５に係る調湿モジュール（20）では、アクチュエータ制御部（35）によって、可動板（41a,41b）の位置を調節することで、熱歪材料（21）へ付与される引張力の付与と解除を切り換えている。
【０２１６】
本実施形態５に係る調湿モジュール（20）は、図３４に示すように、第１および第２調湿モジュール（20a,20b）で構成されている。図３４において、第１調湿モジュール（20a）が右側に配置され、第２調湿モジュール（20b）が左側に配置されているものとする。
【０２１７】
各調湿モジュール（20a,20b）は、それぞれが熱歪材料（21）と、アクチュエータ（22）と、アクチュエータ制御部（35）とを備えている。そして、両調湿モジュール（20a,20b）の間は、仕切板（43）によって左右に仕切られている。
【０２１８】
上記熱歪材料（21）は、上下に延びるワイヤ状に形成され、表面に吸着剤が担持されて吸着層（23）が形成されている。この熱歪材料（21）は、例示として形状記憶合金によって構成され、引張力をかけることで対象物を加熱する一方、引張力を解除することで対象物を冷却するものである。具体的には、図３に示すように、熱歪材料（21）に引張力をかけると、母相（オーステナイト相）からマルテンサイト相へと相変化することで、エントロピーが減少し、その分、発熱して熱歪材料（21）自身が加熱される（IからII）。熱歪材料（21）に引張力をかけたまま、該熱歪材料（21）を加熱対象物に接触させると、熱歪材料（21）の熱が加熱対象物に伝わる（IIからIII）。こうすることで、熱歪材料（21）の温度は下がる。そして、熱歪材料（21）にかけられている引張力を除去（解除）すると、マルテンサイト相から母相（オーステナイト相）に変化する（IIIからIV）。このとき、熱歪材料（21）が断熱されていると、熱歪材料（21）の温度が下がる。温度が下がった熱歪材料に冷却対象物を接触させると、該冷却対象物の熱が熱歪材料（21）に伝わる（IVからI）。
【０２１９】
上記吸着剤としては、ゼオライト、シリカゲル、活性炭、親水性の官能基を有する有機高分子材料など、空気中の水分に対して所定の吸着および脱離性能を有するものが用いられている。
【０２２０】
上記アクチュエータ（22）は、固定板（40）と第１および第２可動板（41a,41b）と第１および第２カム（46,47）と回転軸（39）とを備えている。上記固定板（40）は、略長方形状の薄板に形成されている。固定板（40）の下面は、仕切板（43）によって左右の領域に仕切られ、右側の領域に第１調湿モジュール（20a）の熱歪材料（21）の一端が取り付けられ、左側の領域に第２調湿モジュール（20b）の熱歪材料（21）の一端が取り付けられている。
【０２２１】
上記仕切板（43）は、第１および第２調湿モジュール（20a,20b）の間を左右に仕切るものである。仕切板（43）は、略Ｔ字状に形成された部材である。仕切板（43）は、固定板（40）と直交方向の下方に延びる矩形の薄板に形成される本体部（44）と、固定板（40）と略平行に延びる矩形の薄板に形成されるフランジ部（45）とで形成されている。仕切板（43）は、本体部（44）の基端が固定板（40）に対して取り付けられ、フランジ部（45）は、熱歪材料（21）の他端と略同じ高さ位置に配置されている。
【０２２２】
上記第１および第２可動板（41a,41b）は、熱歪材料（21）に引張力を付与するための部材であって、第１調湿モジュール（20a）および第２調湿モジュール（20b）に対応して設けられている。第１可動板（41a）は、第１調湿モジュール（20a）の熱歪材料（21）の他端に取り付けられ、固定板（40）と対向して配置されている。また、第２可動板（41b）は、第２調湿モジュール（20b）の熱歪材料（21）の他端に取り付けられ、固定板（40）と対向して配置されている。第１可動板（41a）と固定板（40）との間には、第１空気通路（42a）が形成され、第２可動板（41b）と固定板（40）との間には、第２空気通路（42b）が形成されている。
【０２２３】
また、第１および第２可動板（41a,41b）は、略矩形状の薄板に形成されると共に、所定の重量を有している。このため、第１および第２可動板（41a,41b）は、その重みによって熱歪材料（21）に荷重がかかることで、該熱歪材料（21）に下方への引張力が付与される。したがって、第１および第２可動板（41a,41b）は、熱歪材料（21）に対して引張力を付与可能な重さを有している。
【０２２４】
上記第１および第２カム（46,47）は、第１および第２可動板（41a,41b）の幅方向（図３４の奥行き方向）に延びる略円筒形状に形成された部材である。第１カム（46）には、円形の外周部（48）と、半円部分が切り欠かれた小径部（49）とが形成されている。また、第１カム（46）には、回転軸（39）がその中心に挿通され、回転軸（39）の回転方向に回転可能となるように取り付けられている。第２カム（47）には、円形の外周部（48）と、半円部分が切り欠かれた小径部（49）とが形成されている。また、第２カム（47）には、回転軸（39）がその中心に挿通され、回転軸（39）の回転方向に回転可能となるように取り付けられている。回転軸（39）には、アクチュエータ制御部（35）が接続され、アクチュエータ制御部（35）によって、第１および第２カム（46,47）の回転位置が制御される。
【０２２５】
そして、第１および第２カム（46,47）は、左右で互いに１８０°位相がずれるようになっている。すなわち、第１可動板（41a）に対して、第１カム（46）の外周部（48）が接触した場合、第２可動板（41b）に対して、第２カム（47）の小径部（49）が接触するように構成されている。こうすることで、第２調湿モジュール（20b）の熱歪材料（21）に対して第２可動板（47b）の荷重がかかり、引張力が付与される。このため、第２調湿モジュール（20b）の熱歪材料（21）が発熱されて上記吸着層（23）も加熱され、吸着剤に含まれている水分が、周囲を流れる空気に放出されて空気が加湿される。一方、第１調湿モジュール（20a）の熱歪材料（21）は、第１可動板（47a）の荷重が第１カム（46）に支えられ、引張力が解除されている。このため、第１調湿モジュール（20a）の熱歪材料（21）が冷却されて吸着層（23）も冷却され、周囲を流れる空気中の水分が吸着剤に吸着されて空気が減湿される。
【０２２６】
この実施形態５の調湿モジュール（20）は、簡単な構成で実用化できるとともにモジュール自体を小型化できるので、例えば図１に示した実施形態１の調湿装置（1）に適用することにより、調湿装置（1）の構成が複雑化するのを抑え、同時に装置（1）を小型化することもできる。
【０２２７】
また、本形態では、放湿と吸湿とを切り換えて行うことができるため、上記実施形態におけるバッチ切換型の調湿装置（1）に対して好適である。
【０２２８】
尚、各回転軸（39,39）には、それぞれにモータを取り付けて２つのカム（46,47）の位相が１８０°になるように制御してもよいし、１つのモータからギヤなどを介して連動するようにしてもよい。
【０２２９】
また、カムの形状は、図３５に示すように、小径部（49）と外周部（48）との割合を異ならせたり、図３６に示すように、単に回転軸（39）を偏心させて構成するようにしてもよいし、図３７に示すように、外周部（48）の曲率を異ならせ、且つ回転軸（39）を偏心させるようにしてもよい。
【０２３０】
−実施形態５の変形例−
（変形例１）
次に、実施形態５の変形例１について説明する。本変形例１は、上記実施形態５とは、アクチュエータ（22）の構成が異なっている。尚、アクチュエータ制御部（35）の図示は省略している。
【０２３１】
具体的には、図３８に示すように、本変形例１に係る第１および第２カム（46,47）は、第１および第２可動板（41a,41b）の長手方向に向かって延び、同軸上に配置されている。そして、第１および第２カム（46,47）には、一の回転軸（39）が挿通されている。第１および第２カム（46,47）は、互いに１８０°位相をずらして回転軸（39）に取り付けられている。アクチュエータ制御部（35）によって、回転軸（39）が回転することで、第１および第２カム（46,47）が共に回転するように構成されている。その他の構成、作用・効果は実施形態５と同様である。
【０２３２】
（変形例２）
次に、実施形態５の変形例１について説明する。本変形例２は、上記実施形態１とは、アクチュエータ（22）の構成が異なっている。尚、アクチュエータ制御部（35）の図示は省略している。
【０２３３】
具体的には、図３９に示すように、本変形例２に係るアクチュエータ（22）は、上記実施形態５に係るアクチュエータ（22）のように、重量を有する第１および第２可動板（41b）を備えておらず、代わりに第１および第２可動ハウジング（50a,50b）を有している。この第１可動ハウジング（50a）は、第１調湿モジュール（20a）に対応して設けられ、第２可動ハウジング（50b）は、第２調湿モジュール（20b）に対応して設けられている。
【０２３４】
第１および第２可動ハウジング（50a,50b）は、それぞれ側面が開口した直方体状の箱体に形成され、上面壁が左右に突出して形成されている。第１および第２可動ハウジング（50a,50b）の上面壁には、熱歪材料（21）の他端が取り付けられている。第１可動ハウジング（50a）の内部には、第１カム（46）と回転軸（39）とが配置され、第２可動ハウジング（50b）の内部には、第２カム（47）と回転軸（39）とが配置されている。第１および第２カム（46,47）は、アクチュエータ制御部（35）によって、左右で１８０°位相がずれるようになっている。すなわち、図３９に示すように、第１可動ハウジング（50a）の内面下部に第１カム（46）の小径部（49）が接触すると、第２可動ハウジング（50b）の内面下部に第２カム（47）の外周部（48）が接触するように構成されている。こうすることで、第２可動ハウジング（50b）が、第２カム（47）の外周部（48）によって下方に引っ張られ、第２調湿モジュール（20b）の熱歪材料（21）が下方に引っ張られる。
【０２３５】
そして、各回転軸（39,39）が回転すると、位相が１８０°ずれ、第２可動ハウジング（50b）の内面下部に第２カム（47）の小径部（49）が接触し、第１可動ハウジング（50a）の内面下部に第１カム（46）の外周部（48）が接触する。こうすることで、第１可動ハウジング（50a）が、第１カム（46）の外周部（48）によって下方に引っ張られ、第１調湿モジュール（20a）の熱歪材料（21）が下方に引っ張られる。
【０２３６】
（変形例３）
次に、実施形態５の変形例３について説明する。本変形例３は、上記変形例１とは、アクチュエータ（22）の構成が異なっている。尚、アクチュエータ制御部（35）の図示は省略している。
【０２３７】
具体的には、図４０に示すように、本変形例３に係る第１および第２カム（46,47）は、第１および第２可動ハウジング（50a,50b）の長手方向に向かって延び、同軸上に配置されている。そして、第１および第２カム（46,47）には、一の回転軸（39）が挿通されている。第１および第２カム（46,47）は、アクチュエータ制御部（35）によって、互いに１８０°位相をずらして回転軸（39）に取り付けられている。この回転軸（39）が回転することで、第１および第２カム（46,47）が共に回転するように構成されている。
【０２３８】
（変形例４）
次に、実施形態５の変形例４について説明する。本変形例４は、上記変形例３とは、アクチュエータ（22）の構成が異なっている。尚、アクチュエータ制御部（35）の図示は省略している。
【０２３９】
具体的には、図４１に示すように、本変形例４に係る調湿モジュール（20）は、熱歪材料（21）と、第１および第２固定板（40a,40b）と、可動ハウジング（50）と、カム（46）と、回転軸（39）とを備えている。
【０２４０】
上記第１および第２固定板（40a,40b）は、それぞれが略長方形状の薄板に形成されている。第１固定板（40a）は、第１調湿モジュール（20a）に対応して右端寄りに縦配置され、第２固定板（40b）は、第２調湿モジュール（20b）に対応して左端寄りに縦配置されている。第１固定板（40a）の左端面には、第１調湿モジュール（20a）の熱歪材料（21）の一端が接続され、第２固定板（40b）の右端面には、第２調湿モジュール（20b）の熱歪材料（21）の一端が接続されている。
【０２４１】
上記可動ハウジング（50）は、第１および第２固定板（40a,40b）の間に設けられるものである。可動ハウジング（50）は、第１および第２可動板（41a,41b）と、２枚の連結板（59,59）とを備えている。
【０２４２】
第１および第２可動板（41a,41b）は、それぞれが略矩形状の薄板に形成されている。第１可動板（41a）は、第１固定板（40a）と対向するように縦配置され、第２可動板（41b）は、第２固定板（40b）と対向するように縦配置されている。第１可動板（41a）は、第１調湿モジュール（20a）の熱歪材料（21）の他端に取り付けられ、第２可動板（41b）は、第２調湿モジュール（20b）の熱歪材料（21）の他端にそれぞれ取り付けられている。そして、第１固定板（40a）と第１可動板（41a）との間は、第１空気通路（42a）に形成され、第２固定板（40b）と第２可動板（41b）との間は、第２空気通路（42b）に形成されている。
【０２４３】
上記各連結板（59,59）は、略矩形の薄板状に形成され、第１および第２可動板（41a,41b）の間に、高さ方向に所定の間隔を有して配置されている。つまり、第１および第２可動板（41a,41b）、および連結板（59,59）は、一体として移動するように構成されている。
【０２４４】
上記可動ハウジング（50）の内部には、カム（46）と回転軸（39）とが配置されている。上記カム（46）は、第１および第２可動板（41a,41b）の幅方向（図４１の奥行き方向）に延びる略円筒形状に形成された部材である。カム（46）には、円形の外周部（48）と、該外周部（48）の半円部分が切り欠かれて形成される小径部（49）とが形成されている。また、回転軸（39）は、カム（46）の中心に挿通され、該カム（46）をその周方向に回転可能となるように取り付けられている。すなわち、カム（46）が回転することで、第１可動板（41a）に対して、カム（46）の外周部（48）が接触した場合、第２可動板（41b）にカム（46）の小径部（49）が接触するように構成されている。こうすることで、可動ハウジング（50）が右方向に移動し、第２可動板（41b）が右方向に引っ張られ、第２調湿モジュール（20b）の熱歪材料（21）が右方向に引っ張られる。
【０２４５】
逆に、カム（46）が回転することで、第２可動板（41b）に対して、カム（46）の外周部（48）が接触した場合、第１可動板（41a）にカム（46）の小径部（49）が接触するように構成されている。こうすることで、可動ハウジング（50）が左方向に移動し、第１可動板（41a）が左方向に引っ張られ、第１調湿モジュール（20a）の熱歪材料（21）が左方向に引っ張られる。
【０２４６】
（変形例５）
次に、実施形態５の変形例５について説明する。本変形例５は、図４２に示すように、上記実施形態１とは、アクチュエータ（22）の構成が異なっている。尚、アクチュエータ制御部（35）の図示は省略している。
【０２４７】
具体的には、本変形例５に係るアクチュエータ（22）は、第１および第２アーム（51,52）と、回転軸（39）と、ステッピングモータ（図示なし）とを備えているものである。
【０２４８】
上記回転軸（39）は、その軸方向が可動板（41a,41b）の幅方向（図４２の奥行き方向）に延びる回転軸である。回転軸（39）は、仕切板（43）の下方に配置されている。回転軸（39）には、第１および第２アーム（51,52）が取り付けられている。この回転軸（39）は、ステッピングモータに接続され、該ステッピングモータによって周方向に自在に回転可能に構成されている。
【０２４９】
上記第１および第２アーム（51,52）は、細長い板状部材に形成され、回転軸（39）に対して取り付けられている。第１アーム（51）の先端には、第１可動板（41a）に接触させる第１支持部（51a）が形成され、第２アーム（52）の先端には、第２可動板（41b）に接触させる第２支持部（52a）が形成されている。第１アーム（51）は、その基端が回転軸（39）に取り付けられ、その先端が第１可動板（41a）に向かって延びている。また、第２アーム（52）は、その基端が回転軸（39）に取り付けられ、その先端が第２可動板（41b）に向かって延びている。
【０２５０】
そして、図４２に示すように、回転軸（39）が反時計回りに回転した場合、回転に伴って第１アーム（51）の先端の第１支持部（51a）が上昇し、反対に第２アーム（52）の先端の第２支持部（52a）が下降する。このとき、第１アーム（51）の第１支持部（51a）が下方から第１可動板（41a）を押し上げることで、第１調湿モジュール（20a）の熱歪材料（21）に第１可動板（41a）の重みが、かからなくなって引張力が解除され、反対に、第２調湿モジュール（20b）の熱歪材料（21）へ第２可動板（41b）の重みがかかり、引張力が付与される。
【０２５１】
逆に、図４２に示すように、回転軸（39）が時計回りに回転した場合、第１アーム（51）の第１支持部（51a）が下降して第１可動板（41a）から離れることで、第１調湿モジュール（20a）に第１可動板（41a）の重みがかかる。このため、第１調湿モジュール（20a）の熱歪材料（21）へ引張力が付与される。
【０２５２】
尚、本変形例５では、ステッピングモータの１ステップあたりの回転角を調整することで、各可動板（41a,41b）の重量を調整するようにしてもよい。こうすることで、熱歪材料（21）へ付与される引張力を調整して発熱量を調整することができる。
【０２５３】
また、本変形例５においては、第１アーム（51）に対応する駆動軸と、第２アーム（52）に対応する駆動軸とを個別に設け、各アーム（51,52）をそれぞれ独立して回動させる構成としてもよい（変形例５のその他）。これにより、第１調湿モジュール（20a）と第２調湿モジュール（20b）の双方の熱歪材料（21）に張力を付与する動作が可能となる。
【０２５４】
（変形例６）
次に、実施形態５の変形例６について説明する。本変形例６は、上記変形例２および５とは、アクチュエータ（22）の構成が異なっている。
【０２５５】
具体的には、図４３に示すように、本変形例６に係るアクチュエータ（22）は、第１および第２可動ハウジング（50a,50b）と、第１および第２アーム（51,52）と回転軸（39）とを備えている。第１アーム（51）は、第１可動ハウジング（50a）に対して取り付けられ、第２アーム（52）は、第２可動ハウジング（50b）に対して取り付けられている。このため、第１アーム（51）の第１支持部（51a）の上昇に伴って第１可動ハウジング（50a）が上昇する一方、第２アーム（52）の第２支持部（52a）の下降に伴って第２可動ハウジング（50b）が下降するように構成されている。その他の構成、作用・効果は、上記変形例２と同様である。
【０２５６】
また、本変形例６においては、第１アーム（51）に対応する駆動軸と、第２アーム（52）に対応する駆動軸とを個別に設け、各アーム（51,52）をそれぞれ独立して回動させる構成としてもよい（変形例６のその他）。これにより、第１調湿モジュール（20a）と第２調湿モジュール（20b）の双方の熱歪材料（21）に張力を付与する動作が可能となる。
【０２５７】
（変形例７）
次に、実施形態５の変形例７について説明する。本変形例７は、上記実施形態５とは、アクチュエータ（22）とアクチュエータ制御部（35）の構成が異なっている。
【０２５８】
具体的には、図４４に示すように、本変形例７に係るアクチュエータ（22）は、固定板（40）と、第１および第２可動板（56,57）と、第１および第２電磁石（53,54）とを備えている。
【０２５９】
上記固定板（40）は、第１調湿モジュール（20a）の下方に配置されている。第１可動板（56）は、第１調湿モジュール（20a）の上方に配置され、第２可動板（57）は、第２調湿モジュール（20b）の上方側に配置されている。固定板（40）と第１可動板（56）とは、互いに対向して配置され、固定板（40）と第２可動板（57）とは互いに対向して配置されている。この第１および第２可動板（56,57）は、それぞれ磁石又は鉄などの磁性金属によって構成されている。第１電磁石（53）は、第１可動板（56）の近傍で、且つ対向するように配置され、第２電磁石（54）は、第２可動板（57）の近傍で、且つ対向するように配置されている。第１および第２電磁石（53,54）は、共にアクチュエータ制御部（35）に接続され、アクチュエータ制御部（35）によって通電が切換制御されている。
【０２６０】
上記アクチュエータ制御部（35）は、第１および第２電磁石（53,54）に対して付与する通電を制御するものである。すなわち、第１調湿モジュール（20a）に対して引張力を付与する場合、第１電磁石（53）の極性を対向する第１可動板（56）の磁性と逆極性にすることで、第１調湿モジュール（20a）の熱歪材料（21）に引張力を付与する。このとき、第２電磁石（54）への通電を停止することで、第２調湿モジュール（20b）の熱歪材料（21）への引張力を解除する。
【０２６１】
一方、第２調湿モジュール（20b）に対して引張力を付与する場合、第２電磁石（54）の極性を対向する第２可動板（57）の磁性と逆極性にすることで、第２調湿モジュール（20b）の熱歪材料（21）に引張力を付与する。このとき、第１電磁石（53）への通電を停止することで、第１調湿モジュール（20a）の熱歪材料（21）への引張力を解除する。
【０２６２】
（変形例８）
次に、実施形態５の変形例８について説明する。本変形例８は、上記実施形態５の変形例７とは、アクチュエータ（22）の構成が異なっている。本変形例８では、上記変形例７と異なる部分についてのみ説明する。
【０２６３】
具体的には、図４５に示すように、本変形例８に係るアクチュエータ（22）では、固定板（40）が調湿モジュール（20）の上方に配置されている。第１および第２可動板（56,57）は、調湿モジュール（20）の下方に固定板（40）と対向して配置され、これらの第１および第２可動板（56,57）と対向するように第１および第２電磁石（53,54）が配置されている。
【０２６４】
上記第１および第２可動板（56,57）は、磁石又は鉄などの磁性金属によって構成されると共に、所定の重量を有している。
【０２６５】
第１調湿モジュール（20a）に対して引張力を付与する場合、第１電磁石（53）への通電を停止することで、第１可動板（56）の重量によって第１調湿モジュール（20a）の熱歪材料（21）に引張力を付与する。このとき、第２電磁石（54）の極性を対向する第２可動板（57）の磁性と同極として、第２調湿モジュール（20b）の熱歪材料（21）への引張力を解除する。
【０２６６】
一方、第２調湿モジュール（20b）に対して引張力を付与する場合、第２電磁石（54）への通電を停止することで、第２可動板（57）の重量によって第２調湿モジュール（20b）の熱歪材料（21）に引張力を付与する。このとき、第１電磁石（53）の極性を対向する第１可動板（56）の磁性と同極として、第１調湿モジュール（20a）の熱歪材料（21）への引張力を解除する。
【０２６７】
尚、本変形例８では、第１および第２可動板（56,57）は、所定の重量を有するようにしていたが、第１および第２可動板（56,57）を、磁石又は鉄などの磁性金属によって構成され、且つ比較的軽量な部材で構成するようにしてもよい。
【０２６８】
この場合、第１調湿モジュール（20a）に対して引張力を付与する際、第１電磁石（53）の磁性を第１可動板（56）の極性と逆極性にして第１調湿モジュール（20a）の熱歪材料（21）に引張力を付与する。このとき、第２電磁石（54）への通電を停止することで、第２調湿モジュール（20b）の熱歪材料（21）への引張力を解除する。
【０２６９】
一方、第２調湿モジュール（20b）に対して引張力を付与する際、第２電磁石（54）の磁性を第２可動板（57）の極性と逆極性にして第２調湿モジュール（20b）の熱歪材料（21）に引張力を付与する。このとき、第１電磁石（53）への通電を停止することで、第１調湿モジュール（20a）の熱歪材料（21）への引張力を解除する。
【０２７０】
（変形例９）
次に、実施形態５の変形例９について説明する。本変形例９は、上記実施形態５の変形例７とは、アクチュエータ（22）の構成が異なっている。本変形例８では、上記変形例７と異なる部分についてのみ説明する。
【０２７１】
具体的には、図４６に示すように、本変形例４に係るアクチュエータ（22）は、熱歪材料（21）と、第１および第２可動板（56,57）と、第１および第２電磁石（53,54）と、仕切板（43）と、を備えている。
【０２７２】
上記第１および第２可動板（56,57）は、それぞれが略長方形状の薄板に形成されている。第１可動板（56）は、第１調湿モジュール（20a）の右端寄りに縦配置され、第２可動板（57）は、第２調湿モジュール（20b）の左端寄りに縦配置されている。第１可動板（56）の左端面には、第１調湿モジュール（20a）の熱歪材料（21）の一端が接続され、第２可動板（57）の右端面には、第２調湿モジュール（20b）の熱歪材料（21）の一端が接続されている。
【０２７３】
上記仕切板（43）は、第１調湿モジュール（20a）と第２調湿モジュール（20b）との間に、第１および第２可動板（56,57）と対向するように配置されるものである。仕切板（43）には、第１調湿モジュール（20a）および第２調湿モジュール（20b）のそれぞれの熱歪材料（21）の他端が接続されている。
【０２７４】
上記実施形態５、その変形例２、その変形例５、変形例５のその他の例、変形例６のその他の例、変形例７、変形例８、及び変形例９については、調湿運転の停止信号が入力部（34）に入力されると、図８、図１０、図１６、図２０に示すように、張力を付与した熱歪材料（21）を空気が通過する。これにより、この熱歪材料（21）の吸着剤を乾燥させる乾燥動作が行われる。
【０２７５】
一方、上記実施形態５の変形例１、変形例３、変形例４、変形例５、及び変形例６については調湿運転の停止信号が入力部（24）に入力されると、吸湿動作中であった熱歪材料（21）を再生側の空気（夏期であれば室内空気（RA）、冬期であれば室外空気（OA））が通過する。これにより、この熱歪材料（21）の吸着剤を乾燥させる乾燥動作が行われる。
【０２７６】
〈発明の実施形態６〉
本発明の実施形態６について説明する。図４７および図４８に示す実施形態６は、調湿モジュール（20）の具体的な構成に関するものである。本実施形態６に係る調湿モジュール（20）では、ケーシング（60）内に熱歪材料（21）で形成された複数のフィン（70）を搬送させる駆動部材であるベルト搬送装置（65）を備え、空気通路（P）内で熱歪材料（21）への張力の付与と解除を切り換えるようにしたものである。
【０２７７】
上記ケーシング（60）は、長方形の箱体に形成され、内部に空気通路（P）が形成されている。ケーシング（60）の内部は、図４７における手前から奥側に向かって空気が流れるように構成されている。ケーシング（60）の内部は、上下仕切板（61）によって上下に仕切られ、上側空気通路（62）と下側空気通路（63）が形成されている。そして、上下仕切板（61）には、ベルト搬送装置（65）を配置するための開口が形成されている。
【０２７８】
上記ベルト搬送装置（65）は、ガイドレール（69）と、ベルト（67）と、２つのホイール（66,66）とを備えている。
【０２７９】
上記ホイール（66,66）は、略円筒状に形成された回転体である。ホイール（66,66）は、ベルト（67）を搬送可能となるように構成されている。ホイール（66,66）は、ケーシング（60）内の左右に２つ並んで配置され、互いに反時計回りに回転するように構成されている。
【０２８０】
上記ベルト（67）は、シート状の部材に形成され、外周ベルト（67a）と内周ベルト（67b）とで構成されている。
【０２８１】
上記内周ベルト（67b）は、上記２つのホイール（66,66）に対して接触して取り付けられ、内側を移動するものである。つまり、一対のホイール（66,66）が反時計回りに回転することで、内周ベルト（67b）は、ケーシング（60）内の上側空気通路（62）内を通過する際は、左方向へ搬送され、下側空気通路（63）を通過する際は、右方向へ搬送される。内周ベルト（67b）は、幅方向の両端部に、熱歪材料（21）の形成部分よりも外側に突き出た突出部（68）が形成されている。この突出部（68）は、後述する内周レール（69b）との摺動する部分になる。
【０２８２】
上記外周ベルト（67a）は、熱歪材料（21）を介して内周ベルト（67b）に取り付けられ、外側を移動するものである。すなわち、外周ベルト（67a）と熱歪材料（21）と内周ベルト（67b）とは、一体となって搬送されるものである。外周ベルト（67a）は、幅方向の両端部に、熱歪材料（21）の形成部分よりも外側に突き出た突出部（68）が形成されている。この突出部（68）は、後述する外周レール（69a）との摺動する部分になる。
【０２８３】
図４８に示すように、上記ガイドレール（69）は、外周ベルト（67a）および内周ベルト（67b）をガイドするものである。ガイドレール（69）は、外周レール（69a）と内周レール（69b）とで構成されている。
【０２８４】
上記外周レール（69a）は、上記外周ベルト（67a）の幅方向の両端に設けられるレール部材である。外周レール（69a）は、外側に凹む凹部に外周ベルト（67a）の側端部を引っ掛けることで、該外周ベルト（67a）を案内するように構成されている。
【０２８５】
上記内周レール（69b）は、上記内周ベルト（67b）の幅方向の両端に設けられるレール部材である。内周レール（69b）は、外側に凹む凹部に内周ベルト（67b）の側端部を引っ掛けることで、該内周ベルト（67b）を案内するように構成されている。
【０２８６】
外周レール（69a）と内周レール（69b）との間の距離は、ケーシング（60）の上方と下方とで異なっている。具体的には、外周レール（69a）と内周レール（69b）との間の距離は、ケーシング（60）の上方（上側空気通路（62））では、拡がる一方、ケーシング（60）の下方（下側空気通路（63））では、狭くなっている。
【０２８７】
また、上記調湿モジュール（20）は、熱歪材料（21）からなるフィン（70）と、該フィン（70）の表面に担持された吸着層（23）とを備えている。
【０２８８】
各フィン（70）は、ケーシング（60）の幅方向（図４７の奥行き方向）に延びる板状に形成されている。各フィン（70）は、一端が外周ベルト（67a）に取り付けられ、他端が内周ベルト（67b）に取り付けられている。
【０２８９】
ホイール（66,66）を同時に回転させると、外周ベルト（67a）、内周ベルト（67b）およびフィン（70）が搬送される。そして、ケーシング（60）の上側空気通路（62）を搬送される際、外周ベルト（67a）と内周ベルト（67b）との間の距離が拡がることで、フィン（70）を構成する熱歪材料（21）が上方向に引っ張られる。
【０２９０】
一方、ケーシング（60）の下側空気通路（63）を搬送される際、外周ベルト（67a）と内周ベルト（67b）との距離が縮まることで、フィン（70）を構成する熱歪材料（21）への引張力が解除される。つまり、ケーシング（60）内において、上側空気通路（62）は、空気を加熱する領域に形成され、下側空気通路（63）は、空気を冷却する領域に形成されている。したがって、放湿と吸湿とを連続して行うことができるため、上記実施形態におけるロータ型の調湿装置（1）に対して好適である。
【０２９１】
−実施形態６の変形例−
（変形例１）
次に、実施形態６の変形例１について説明する。本変形例１は、図４９に示すように、上記実施形態６とは、ベルト搬送装置（65）の構成が異なっている。
【０２９２】
具体的には、本変形例１に係るベルト搬送装置（65）は、外周レール（69a）と、内周レール（69b）との間の距離を、ケーシング（60）の左右で異なるように構成したものである。その他の構成、作用・効果は実施形態６と同様である。
【０２９３】
（変形例２）
次に、実施形態６の変形例２について説明する。本変形例２は、図５０に示すように、上記実施形態６とは、駆動部材の構成が異なっている。
【０２９４】
具体的に、本変形例２では、ベルト搬送装置（65）の代わりに、ロータ装置（71）を設けたものである。上記ロータ装置（71）は、外周体（73）と、偏心軸（72）とを備えている。
【０２９５】
上記偏心軸（72）は、その軸方向が、ケーシング（60）の奥行き方向に亘って延びる回転軸である。偏心軸（72）は、後述する外周体（73）の内部であって、ケーシング（60）内の上下仕切板（61）とほぼ同じ高さ位置に配置されている。偏心軸（72）の外周には、周方向に多数のフィン（70）が取り付けられ、放射状に延びている。また、偏心軸（72）は、図示しないモータに接続され、該モータによって回転可能に構成されている。
【０２９６】
上記外周体（73）は、ロータ装置（71）の外周部分を形成する部材である。外周体（73）は、略円筒形状に形成され、ケーシング（60）内において回転可能に配置されている。このとき、外周体（73）は、図示しないガイドレールに沿って定位置で回転するように構成されている。外周体（73）の内周面には、フィン（70）の外周端が取り付けられている。
【０２９７】
偏心軸（72）が回転すると、フィン（70）および外周体（73）が一体に回転する。外周体（73）に対して偏心軸（72）が偏心しているため、ケーシング（60）の上側空気通路（62）を通過する際に、熱歪材料（21）が引っ張られる一方、下側空気通路（63）を通過する際に、熱歪材料（21）への引張力が解除される。つまり、ケーシング（60）の上側空気通路（62）は、空気を加熱する領域に形成され、ケーシング（60）の下側空気通路（63）は、空気を冷却する領域に形成されている。その他の構成、作用・効果は実施形態６と同様である。
【０２９８】
（変形例３）
次に、実施形態６の変形例３について説明する。本変形例３は、図５１に示すように、上記変形例３とは、ロータ装置（71）の構成が異なっている。
【０２９９】
具体的に、本変形例３に係るロータ装置（71）では、フィン（70）をハニカム構造に構成したものである。その他の構成、作用・効果は上記変形例２と同様である。
【０３００】
（変形例４）
次に、実施形態６の変形例４について説明する。本変形例４は、図５２〜図５４に示すように、上記実施形態６とは、駆動部材の構成が異なっている。
【０３０１】
具体的に、本変形例４では、ベルト搬送装置（65）の代わりに、回転装置（99）を設けたものである。
【０３０２】
本変形例４に係るケーシング（80）は、仕切板（81）によって内部が左右に仕切られ、右側が第１空気通路（82）に形成され、左側が第２空気通路（83）に形成されている。そして、ケーシング（60）内に、回転装置（99）が設けられている。
【０３０３】
上記回転装置（99）は、回転軸（84）と、該回転軸（84）に取り付けられる第１回転板（85）と、回転軸（84）の一端に取り付けられる連結部（88）と、該連結部（88）を介して回転軸（84）に取り付けられる傾斜軸（86）と、傾斜軸（86）に取り付けられる第２回転板（87）とを備えている。そして、第１回転板（85）と第２回転板（87）との間に、熱歪材料（21）からなるワイヤ状のフィン（70）が取り付けられている。また、仕切板（81）には、フィン（70）の通過位置にスリットが形成されている。本変形例４では、回転装置（99）の側方（すなわち、図５３における第１回転板（85）と第２回転板（87）との間の奥行き方向）に空気が流れるように構成されている。
【０３０４】
上記傾斜軸（86）は、回転軸（84）に対して所定の角度だけ傾斜して取り付けられている。そして、回転軸（84）は、図示しないモータに接続されて回転可能に構成されている。このため、回転軸（84）が回転すると、該回転軸（84）と共に傾斜軸（86）も回転する。したがって、第１回転板（85）と第２回転板（87）との傾斜分だけ両者の距離が離れることとなる。このため、フィン（70）が第１空気通路（82）を通過する際には、第１回転板（85）と第２回転板（87）との距離が離れるため、フィン（70）を形成する熱歪材料（21）に引張力が付与される。一方、フィン（70）が第２空気通路（83）を通過する際には、第１回転板（85）と第２回転板（87）との距離が近づくため、フィン（70）を形成する熱歪材料（21）の引張力が解除される。
【０３０５】
（変形例５）
次に、実施形態６の変形例５について説明する。本変形例５は、図５５〜図５７に示すように、上記変形例４とは、回転装置（99）の構成が異なっている。
【０３０６】
具体的に、本変形例５に係る回転装置（99）は、第１回転板（85）と第２回転板（87）に厚み方向に貫通する孔（89）が形成されている。そして、第１回転板（85）と第２回転板（87）との間において、回転軸（84）および傾斜軸（86）から放射状に延びると共に、シート状の熱歪材料（21）からなるフィン（70）が形成されている。
【０３０７】
すなわち、本変形例５では、回転装置（99）の上下方向（すなわち、図５６における第１回転板（85）と第２回転板（87）との間の上下方向）に空気が流れるように構成されている。
【０３０８】
尚、本変形例５では、仕切板（81）と、同位置にフィン（70）を配置することで、ケーシング（60）内を左右に仕切っている。
【０３０９】
《実施形態６の乾燥手段に係る変形例》
実施形態６及びその変形例（変形例１〜５）について、以下のような他の乾燥手段を採用してもよい。この変形例について、図７２及び７３を参照しながら説明する。なお、図７２及び図７３では、実施形態６及び変形例１に係るベルト搬送装置（65）、変形例２及び変形例３に係るロータ装置（71）、変形例４及び５に係る回転装置（99）を模式的に表しているが、その詳細の構造は上述したとおりである。
【０３１０】
この変形例に係る調湿モジュール（20）の回動機構（120）（ベルト搬送装置（65）、ロータ装置（71）、回転装置（99））には、複数の熱歪材料（21）が保持されている。熱歪材料（21）の表面には、吸着剤からなる吸着層（23）が形成されている。回動機構（120）は、第１の空気通路（放湿通路（P1））と、第２の空気通路（吸湿通路（P2））とに跨がるように配置される。回動機構（120）は、熱歪材料（21）を放湿通路（P1）と吸湿通路（P2）との間を連続的に回動させるように構成される。回動機構（120）は、吸湿通路（P2）側から放湿通路（P1）側にむかうにつれて熱歪材料（21）に付与する張力を大きくし、放湿通路（P1）側から吸湿通路（P2）側にむかうにつれて熱歪材料（21）に付与する張力を小さくするように構成される。また、放湿通路（P1）には、第１のファン（放湿側ファン（30a））が配置され、吸湿通路（P2）には、第２のファン（吸湿側ファン（30b））が配置される。
【０３１１】
調湿モジュール（20）のコントローラ（33）には、入力部（34）とアクチュエータ制御部（35）とファン制御部（36）とが設けられる。入力部（34）には、調湿運転（除湿運転又は加湿運転）の運転を開始させるための開始信号や、該運転を停止させるための停止信号が入力される。アクチュエータ制御部（35）は、回動機構（120）の回転角度を調節する。ファン制御部（36）は、放湿側ファン（30a）及び吸湿側ファン（30b）のＯＮ／ＯＦＦの切換を行う。
【０３１２】
この変形例では、アクチュエータ制御部（35）及びファン制御部（36）が熱歪材料（21）の吸着層（23）を乾燥させる乾燥手段を構成する。具体的に、アクチュエータ制御部（35）は、入力部（34）に停止信号が入力されると吸湿通路（P2）側の熱歪材料（21）が放湿通路（P1）へ移動し、放湿通路（P1）側の熱歪材料（21）が吸湿通路（P2）へ移動するように回動機構（120）を駆動するように構成される。また、ファン制御部（36）は、入力部（34）に停止信号が入力されると、上記吸湿側ファン（30b）を停止し且つ上記放湿側ファン（30a）の運転を継続させるように構成される。
【０３１３】
−除湿運転−
図７２(Ａ)に示す除湿運転では、吸湿側ファン（30b）及び放湿側ファン（30a）が運転され、回動機構（120）が２つの空気通路（P1,P2）に亘りながら回動する。吸湿通路（P2）では、取り込まれた室外空気（OA）が回動機構（120）を通過する。吸湿通路（P2）では、熱歪材料（21）の張力が解除されるため、熱歪材料（21）によって吸着層（23）が冷却される。このため、吸着層（23）では、空気中の水分が吸着層（23）に吸着される。吸湿通路（P2）の熱歪材料（21）で除湿された空気は、供給空気（SA）として室内へ供給される。
【０３１４】
また、放湿通路（P1）では、取り込まれた室内空気（RA）が回動機構（120）を通過する。放湿通路（P1）では、熱歪材料（21）に張力が付与されるため、熱歪材料（21）によって吸着層（23）が加熱される。このため、吸着層（23）では、吸着された水分が空気中へ脱離する。放湿通路（P1）の熱歪材料（21）の吸着層（23）を再生した空気は、排出空気（EA）として室外へ排出される。
【０３１５】
〈除湿運転の乾燥動作〉
上記の除湿運転を停止する際には、入力部（34）に停止信号が入力される。すると、ファン制御部（36）は、図７２(Ｂ)に示すように、吸湿側ファン（30b）を停止する一方、放湿側ファン（30a）の運転を継続したままとする。また、入力部（34）に停止信号が入力されると、アクチュエータ制御部（35）は、回動機構（120）の熱歪材料（21）を放湿通路（P1）と吸湿通路（P2）との間で逆転させる。即ち、回動機構（120）では、入力部（34）に停止信号が入力された時点において、放湿通路（P1）側に位置していた熱歪材料（21）（図７２(Ａ)の白抜きの領域Ａ１の熱歪材料）を吸湿通路（P2）側に移動させると同時に、吸湿通路（P2）側に位置していた熱歪材料（図７２(Ａ)のハッチングを付した領域Ａ２の熱歪材料）を放湿通路（P1）側に移動させる（図７２(Ｂ)を参照）。
【０３１６】
図７２(Ａ)に示す状態から図７２(Ｂ)に示す状態に遷移すると、それまで吸湿動作を行っていた熱歪材料（21）（即ち、吸着層（23）の含水率が比較的高い熱歪材料）が放湿通路（P1）に移動して張力が付与される。また、放湿通路（P1）では、放湿側ファン（30a）によって搬送された室内空気（RA）が熱歪材料（21）を通過する。この結果、熱歪材料（21）の吸着層（23）から水分が脱離し、この水分が空気中へ放出される。また、例えば夏季等においては、室内空気（RA）は室外空気（OA）と比較して湿度が低いため、吸着層（23）が効率良く乾燥する。
【０３１７】
また、図７２(Ａ)に示す状態から図７２(Ｂ)に示す状態に遷移すると、それまで放湿動作を行っていた熱歪材料（21）（即ち、吸着層（23）の含水率が比較的低い熱歪材料）が吸湿通路（P2）に移動して張力が解除される。しかし、吸湿通路（P2）では、吸湿側ファン（30b）が停止状態となっているため、空気中の水分が吸着層（23）に吸着されることを抑制できる。
【０３１８】
放湿通路（P1）側の熱歪材料（21）と吸湿通路（P2）側の熱歪材料（21）の位置が完全に逆転すると、放湿側ファン（30a）が停止し、除湿運転が終了する。回動機構（120）では、双方の空気通路（P1,P2）の熱歪材料（21）の吸着層（23）の含水率が比較的低くなるため、その後に吸着層（23）の表面で菌やカビが繁殖することを防止できる。
【０３１９】
−加湿運転−
図７３(Ａ)に示す加湿運転では、吸湿側ファン（30b）及び放湿側ファン（30a）が運転され、回動機構（120）が２つの空気通路（P1,P2）に亘りながら回動する。放湿通路（P1）では、取り込まれた室外空気（OA）が回動機構（120）を通過する。放湿通路（P1）では、熱歪材料（21）に張力が付与されるため、熱歪材料（21）によって吸着層（23）が加熱される。このため、吸着層（23）では、吸着された水分が空気中へ脱離する。熱歪材料（21）で加湿された空気は、供給空気（SA）として室内へ供給される。
【０３２０】
また、吸湿通路（P2）では、取り込まれた室内空気（RA）が回動機構（120）を通過する。吸湿通路（P2）では、熱歪材料（21）の張力が解除されるため、熱歪材料（21）によって吸着層（23）が冷却される。このため、吸着層（23）では、空気中の水分が吸着層（23）に吸着される。放湿通路（P1）の熱歪材料（21）の吸着層（23）に水分を付与した空気は、排出空気（EA）として室外へ排出される。
【０３２１】
〈加湿運転の乾燥動作〉
上記の加湿運転を停止する際には、入力部（34）に停止信号が入力される。すると、ファン制御部（36）は、図７３(Ｂ)に示すように、吸湿側ファン（30b）を停止する一方、放湿側ファン（30a）の運転を継続したままとする。また、入力部（34）に停止信号が入力されると、アクチュエータ制御部（35）は、回動機構（120）の熱歪材料（21）を放湿通路（P1）と吸湿通路（P2）との間で逆転させる。即ち、回動機構（120）では、入力部（34）に停止信号が入力された時点において、放湿通路（P1）側に位置していた熱歪材料（21）（図７３(Ａ)の白抜きの領域Ａ１の熱歪材料）を吸湿通路（P2）側に移動させると同時に、吸湿通路（P2）側に位置していた熱歪材料（図７３(Ａ)のハッチングを付した領域Ａ２の熱歪材料）を放湿通路（P1）側に移動させる（図７３(Ｂ)を参照）。
【０３２２】
図７３(Ａ)に示す状態から図７３(Ｂ)に示す状態に遷移すると、それまで吸湿動作を行っていた熱歪材料（21）（即ち、吸着層（23）の含水率が比較的高い熱歪材料）が放湿通路（P1）に移動して張力が付与される。また、放湿通路（P1）では、放湿側ファン（30a）によって搬送された室外空気（OA）が熱歪材料（21）を通過する。この結果、熱歪材料（21）の吸着層（23）から水分が脱離し、この水分が空気中へ放出される。また、例えば冬期等においては、室外空気（OA）は室内空気（RA）と比較して湿度が低いため、吸着層（23）が効率良く乾燥する。
【０３２３】
また、図７３(Ａ)に示す状態から図７３(Ｂ)に示す状態に遷移すると、それまで放湿動作を行っていた熱歪材料（即ち、吸着層（23）の含水率が比較的低い熱歪材料）が吸湿通路（P2）に移動して張力が解除される。しかし、吸湿通路（P2）では、吸湿側ファン（30b）が停止状態となっているため、空気中の水分が吸着層（23）に吸着されることを抑制できる。
【０３２４】
放湿通路（P1）側の熱歪材料（21）と吸湿通路（P2）側の熱歪材料（21）の位置が完全に逆転すると、放湿側ファン（30a）が停止し、加湿運転が終了する。回動機構（120）では、双方の空気通路（P1,P2）の熱歪材料（21）の吸着層（23）の含水率が比較的低くなるため、その後に吸着層（23）の表面で菌やカビが繁殖することを防止できる。
【０３２５】
〈発明の実施形態７〉
本発明の実施形態７について説明する。尚、アクチュエータ制御部（35）の図示は省略している。図５８および図５９に示す実施形態７は、調湿モジュール（20）の具体的な構成に関するものである。本実施形態７に係る調湿モジュール（20）では、ワイヤ状に形成された熱歪材料（21）の基端に設けられる回転軸（105）と、該熱歪材料（21）の先端に設けられる第１錘部（107a）および第２錘部（107b）とを備え、回転軸（105）を回転させることで空気通路（P）内で上記熱歪材料（21）への張力の付与と解除を切り換えるように構成されている。調湿モジュール（20）は、空気通路（P）が形成されるケーシング（100）内に設けられている。
【０３２６】
ケーシング（100）は、長方形状の箱体に形成され、上下仕切板（101）によって内部が上下に仕切られている。ケーシング（100）は、内部の上側が上側空気通路（103）に形成され、下側が下側空気通路（104）に形成されている。上側空気通路（103）の出口側には、ファン（30）が設けられる一方、下側空気通路（104）の出口側にもファン（30）が設けられている。そして、上記上下仕切板（101）には、開口部（102）が形成され、ケーシング（100）内に調湿モジュール（20）が設けられている。
【０３２７】
上記ケーシング（100）の長手方向の一側面には、上部および下部にそれぞれ空気流入口（100a,100b）が形成され、他側面には、上部および下部にそれぞれ空気流入口（100a,100b）に対応する空気流出口が形成されている。そして、空気流入口（100a,100b）からケーシング（100）内に空気が取り込まれる一方、空気流出口からケーシング（100）外に空気が排出されるように構成されている。
【０３２８】
上記調湿モジュール（20）は、ケーシング（100）の幅方向に延びる回転軸（105）と、該回転軸（105）に取り付けられるモータ軸（108）と、回転軸（105）から一方に向かって延びる第１熱歪材料（21a）と、第１錘部（107a）と、回転軸（105）から第１熱歪材料（21a）と反対方向に向かって延びる第２熱歪材料（21b）と、第２錘部（107b）と、回転軸（105）に対して取り付けられる閉鎖板（106）とを備えている。
【０３２９】
上記第１熱歪材料（21a）は、ワイヤ状に形成されている。第１熱歪材料（21a）は、その基端が回転軸（105）の外周に取り付けられる一方、その先端が回転軸（105）から上方に延びて形成されている。第１熱歪材料（21a）は、回転軸（105）の軸方向に沿って多数設けられている。各第１熱歪材料（21a）の先端には、第１錘部（107a）が取り付けられている。第１錘部（107a）は、細長の円柱状に形成され、回転軸（105）と略平行となるように配置されている。
【０３３０】
上記第２熱歪材料（21b）は、ワイヤ状に形成されている。第２熱歪材料（21b）は、その基端が回転軸（105）の外周に取り付けられる一方、その先端が回転軸（105）から下方に延びて形成されている。第２熱歪材料（21b）は、回転軸（105）の軸方向に沿って多数設けられている。各第２熱歪材料（21b）の先端には、第２錘部（107b）が取り付けられている。第２錘部（107b）は、細長の円柱状に形成され、回転軸（105）と略平行となるように配置されている。
【０３３１】
つまり、回転軸（105）が図示しないモータによって回転すると、第１熱歪材料（21a）および第２熱歪材料（21b）は、１８０°ずつ移動するよう構成されている。そして、回転軸（105）が回転して、第１錘部（107a）が下方に位置した場合は、第１熱歪材料（21a）に引張力が付与される。また、回転軸（105）が回転して、第２錘部（107b）が下方に位置した場合は、第２熱歪材料（21b）に引張力が付与される。
【０３３２】
上記閉鎖板（106）は、回転軸（105）に対して水平に取り付けられている。閉鎖板（106）は、回転軸（105）の回転に伴って開口部（102）を常時閉鎖するように構成されている。        
【０３３３】
−実施形態７の変形例−
（変形例）
次に、実施形態７の変形例について説明する。本変形例は、図６０〜図６２に示すように、上記実施形態７とは、調湿モジュール（20）の構成が異なっている。
【０３３４】
本変形例に係る調湿モジュール（20）は、回転軸（105）と、回転軸（105）に取り付けられるモータ軸と、回転軸（105）から放射状に延びる多数の熱歪材料（21）と、各熱歪材料（21）の先端に取り付けられる錘部（107）とを備えている。
【０３３５】
本変形例では、ケーシング（100）内の上側空気通路（103）と、下側空気通路（104）のそれぞれに調湿モジュール（20）が設置されている。
【０３３６】
熱歪材料（21）は、ワイヤ状に形成されている。熱歪材料（21）は、その基端が回転軸（105）の外周に取り付けられる一方、その先端が回転軸（105）の径方向外方に向かって延びて形成されている。熱歪材料（21）は、回転軸（105）の一周あたり、１６本設けられ、回転軸（105）の軸方向に沿って連続して形成されている。
【０３３７】
つまり、回転軸（105）の回転によって回転する熱歪材料（21）には、錘部（107）によって生じる遠心力が加わる。これによって、熱歪材料（21）に引張力が付与される。反対に回転軸（105）の回転を停止することで、熱歪材料（21）への引張力は解除される。
【０３３８】
実施形態６及び７と、それらの各変形例の調湿モジュール（20）を備えた調湿装置（1）においては、入力部（34）に調湿運転の停止信号が入力されると、吸湿側の熱歪材料（21）に空気を通過させるようにファン（30）をファン制御部（36）によって制御することで、熱歪材料（21）の吸着層（23）の吸着剤を乾燥させる。つまり、ファン（30）及びファン制御部（36）は、乾燥動作において、熱歪材料（21）に空気を通過させる空気搬送機構であって、該熱歪材料（21）の吸着層（23）の吸着剤を乾燥させる乾燥手段を構成する。
【０３３９】
具体的に、例えば夏期の除湿運転であれば、入力部（34）に停止信号が入力されると、熱歪材料（21）で吸湿動作が行われる側の空気通路（例えば実施形態６の下側空気通路（63））に室内空気（RA）を流通させる。これにより、下側空気通路（63）では、吸着層（23）の吸着剤の水分が、室内空気（RA）に放出され、吸着剤の含水率が低下する。そして、この乾燥動作を所定時間行った後、ファン（30）を停止する。この結果、調湿装置（1）を長期に亘って停止させても、吸着層（23）の吸着剤の表面で菌やカビが発生することを防止できる。
【０３４０】
また、例えば冬期の加湿運転であれば、入力部（34）に停止信号が入力されると、熱歪材料（21）で吸湿動作が行われる側の空気通路（例えば実施形態６の下側空気通路（63））に室外空気（OA）を流通させる。これにより、下側空気通路（63）では、吸着層（23）の吸着剤の水分が、室外空気（OA）に放出され、吸着剤の含水率が低下する。そして、この乾燥動作を所定時間行った後、ファン（30）を停止する。この結果、調湿装置（1）を長期に亘って停止させても、吸着層（23）の吸着剤の表面で菌やカビが発生することを防止できる。
【０３４１】
〈実施形態８〉
図６３および図６４は、実施形態８に係る調湿モジュール（20）およびアクチュエータ（22）の構成を示す図である。なお、図６３では、第１調湿モジュール（20a）用、及び第２調湿モジュール（20b）用の両方のアクチュエータ（22）を図示してある。これらのアクチュエータ（22）は、形状記憶合金が形状回復する際の回復応力を利用して、熱歪材料（21）に引張力を印加する。アクチュエータ（22）は、ワイヤー部（22a）、電源部（22b）、及びスイッチ（22c）を備えている。
【０３４２】
ワイヤー部（22a）は、ワイヤ状の形状記憶合金で構成されている。より詳しくは、ワイヤー部（22a）を構成する形状記憶合金は、加熱すると収縮するように構成されている。ワイヤー部（22a）の一端は、ローラー（29）を介して、可動板（41）における熱歪材料（21）の反対面に固定されている（図６３を参照）。このローラー（29）は、回転自在にケーシング（10）に固定され、ワイヤー部（22a）の向きを変えるために設けてある。また、この例では、ワイヤー部（22a）の他端は、ケーシング（10）に固定されている。そのため、例えば、ワイヤー部（22a）が加熱されて収縮すると、第１調湿モジュール（20a）の可動板（41）は、同図の左に引張られ、第２調湿モジュール（20b）の可動板（41）は、同図の右に引張られる。
【０３４３】
電源部（22b）は、スイッチ（22c）を介して、ワイヤー部（22a）に接続されている。このスイッチ（22c）をオンにすると、該ワイヤー部（22a）（形状記憶合金）に所定の電流が流れて、形状記憶合金自身が発熱するようになっている。スイッチ（22c）のオンオフは、コントローラ（33）の切換制御部（35）が制御する。
【０３４４】
なお、アクチュエータ（22）には、ワイヤー部（22a）の加熱を解除した際に、該ワイヤー部（22a）が加熱前の形状に戻る（延びる）ように、金属バネを設けてもよい。
【０３４５】
まず、第１調湿モジュール（20a）において吸湿動作が行われる場合、切換制御部（35）によって、ワイヤー部（22a）（形状記憶合金）への通電がオフにされる。これにより、第１調湿モジュール（20a）では、アクチュエータ（22）の形状記憶合金の温度が下がり、熱歪材料（21）への引張力が解除される。その結果、第１調湿モジュール（20a）の熱歪材料（21）が吸熱し、空気中の水分が吸着剤に吸着される。
【０３４６】
一方、第２調湿モジュール（20b）において放湿動作が行われる場合、切換制御部（35）によって、ワイヤー部（22a）（形状記憶合金）への通電がオンにされる。これにより、アクチュエータ（22）の形状記憶合金の温度が上がって収縮する。その結果、第２調湿モジュール（20b）では、熱歪材料（21）に引張力が付与されて発熱する。したがって、熱歪材料（21）の吸着剤の水分が空気中へ放出される。
【０３４７】
以上のように、本変形例では、形状記憶合金を用いてアクチュエータ（22）を構成したので、モータで引張力を熱歪材料に印加する場合と比べ、コンパクトに構成できる。また、本変形例のアクチュエータ（22）は、モータと比べ作動音をはるかに小さくできる。
【０３４８】
（変形例１）
図６５に示す実施形態８の変形例１では、アクチュエータ（22）は、磁場を印加すると形状が回復する形状記憶合金（以下、磁性形状記憶合金という）を用い、その形状記憶合金が形状回復する際の回復応力を利用して引張力を発生する。変形例１のアクチュエータ（22）は、ワイヤー部（22a）、電源部（22b）、スイッチ（22c）、及びコイル（65）を備えている。
【０３４９】
ワイヤー部（22a）は、前記磁性形状記憶合金で構成されている。より具体的には、ワイヤー部（22a）は、ワイヤ状の形態を有し、磁場を印加すると収縮するように構成されている。ワイヤー部（22a）の取り付け構造は、実施形態８と同様である。すなわち、ワイヤー部（22a）の一端は、ローラー（29）を介して、可動板（41）における熱歪材料（21）の反対面に固定されている。また、ワイヤー部（22a）の他端は、ケーシング（10）に固定されている。そのため、例えば、ワイヤー部（22a）に磁場が印加されて収縮すると、第１調湿モジュール（20a）の熱歪材料（21）、及び第２調湿モジュール（20b）の熱歪材料（21）が引張られる。
【０３５０】
コイル（65）は、ワイヤー部（22a）の周囲を取り囲むように、被覆電線が巻回されて構成されている。すなわち、コイル（65）に電流を流すとワイヤー部（22a）に磁場が印加される。
【０３５１】
電源部（22b）は、スイッチ（22c）を介して、コイル（65）に接続されている。スイッチ（22c）をオンにすると、該コイル（65）に所定の電流が流れてワイヤー部（22a）に磁場が印加されるようになっている。スイッチ（22c）のオンオフは、切換制御部（35）が制御する。
【０３５２】
なお、アクチュエータ（22）には、ワイヤー部（22a）の磁場印加を解除した際に、該ワイヤー部（22a）が磁場印加前の形状に戻る（延びる）ように、金属バネを設けてもよい。
【０３５３】
前記の構成により、本変形例においても、それぞれの調湿モジュール（20a,20b）の熱歪材料（21）への引張力の付与と解除を行える。したがって、除湿運転や加湿運転を連続して行うことができる。
【０３５４】
実施形態８及びその変形例１では、調湿運転の停止信号が入力部（34）に入力されると、図８、図１０、図１６、図２０に示すように、張力を付与した熱歪材料（21）を空気が通過する。これにより、この熱歪材料（21）の吸着剤を乾燥させる乾燥動作が行われる。
【０３５５】
〈その他の実施形態〉
上述した各実施形態の熱歪材料（21）は、引張力の付与により発熱し、引張力の解除により吸熱するように構成される。しかし、熱歪材料（21）は、圧縮力の付与により発熱し、圧縮力の解除により吸熱する構成であってもよい。
【０３５６】
本発明は、上記実施形態について、以下のような構成としてもよい。
【０３５７】
上記実施形態に係る調湿モジュール（20）において、図６６〜図６９に示すアクチュエータ（22）を用いて構成してもよい。
【０３５８】
図６６に係るアクチュエータは、ヒータ（111）とバイメタル（110）により構成されている。図６７に係るアクチュエータは、ピエゾ素子（112）により構成されている。図６８に係るアクチュエータは、駆動アーム（113）により構成されている。図６９に係るに係るアクチュエータは、ソレノイド（114）により構成されている。
【０３５９】
また、上記実施形態については、以下のような構成としてもよい。
【０３６０】
例えば、上記各実施形態においては、室外空気を除加湿処理して室内に供給し、室内空気を調湿モジュール（20）の吸着再生処理に使って室外に排出する換気方式を採用しているが、室内空気を循環させる構成において調湿モジュール（20）で水分の吸着や脱離を行うように構成してもよい。
【０３６１】
また、上記各実施形態において説明している調湿モジュール（20）や冷却加熱モジュール（24）の具体的な構成は、調湿装置（1）の装置構成に応じて適宜変更してもよい。
【０３６２】
さらには、調湿装置（1）の構成も、除湿運転や加湿運転、あるいは除湿冷房運転や加湿暖房運転を行える限りは適宜変更してもよい。
【０３６３】
また、上記各実施形態において説明した乾燥動作においては、例えば図７０及び図７１のような動作を行ってもよい。
【０３６４】
図７０は、放湿動作と吸湿動作とを繰り返して除湿運転を行う調湿装置（1）の乾燥動作の一例である。この調湿装置（1）では、入力部（34）に除湿運転の停止信号が入力されると、吸湿動作の後、熱歪材料（21）の張力が解除された状態を維持しつつ、この熱歪材料（21）に室内空気（RA）を通過させる。熱歪材料（21）を通過した空気は、排出空気（EA）として室外へ排出される。これにより、乾燥動作では、吸着層（23）の水分を空気中へ放出でき、吸着剤を乾燥させることができる。
【０３６５】
図７１は、放湿動作と吸湿動作とを繰り返して加湿運転を行う調湿装置（1）の乾燥動作の一例である。この調湿装置（1）では、入力部（34）に加湿運転の停止信号が入力されると、吸湿動作の後、熱歪材料（21）の張力が解除された状態を維持しつつ、この熱歪材料（21）に室外空気（OA）を通過させる。熱歪材料（21）を通過した空気は、例えば供給空気（SA）として室内へ供給される。これにより、乾燥動作では、吸着層（23）の水分を空気中へ放出でき、吸着剤を乾燥させることができる。
【０３６６】
また、上述した各乾燥動作の制御では、例えば図８に示すように、乾燥動作の後、解除動作を行っているが、この解除動作を行わずファン（30）を停止させるようにしてもよい。
【０３６７】
尚、以上の実施形態は、本質的に好ましい例示であって、本発明、その適用物、あるいはその用途の範囲を制限することを意図するものではない。
【産業上の利用可能性】
【０３６８】
以上説明したように、本発明は、、水分の吸着と脱離とを行う調湿モジュールを備え、該調湿モジュールで空気の湿度を調節する調湿装置について有用である。
【符号の説明】
【０３６９】
20,20a,20b    調湿モジュール
21           熱歪材料
22           アクチュエータ（乾燥手段）
23           吸着層
30           ファン（乾燥手段、空気搬送機構）
30a          給気ファン（乾燥手段、空気搬送機構）
30b          排気ファン（乾燥手段、空気搬送機構、空気排出機構）
34           入力部
35           アクチュエータ制御部（乾燥手段）
36           ファン制御部（乾燥手段、空気搬送機構）
37           ダンパ制御部（乾燥手段、空気流通禁止機構）
D1〜D8      ダンパ（乾燥手段、空気流通禁止機構）
【図１】
2014095543.tif 000003
【図２】
2014095543.tif 000004
【図３】
2014095543.tif 000005
【図４】
2014095543.tif 000006
【図５】
2014095543.tif 000007
【図６】
2014095543.tif 000008
【図７】
2014095543.tif 000009
【図８】
2014095543.tif 000010
【図９】
2014095543.tif 000011
【図１０】
2014095543.tif 000012
【図１１】
2014095543.tif 000013
【図１２】
2014095543.tif 000014
【図１３】
2014095543.tif 000015
【図１４】
2014095543.tif 000016
【図１５】
2014095543.tif 000017
【図１６】
2014095543.tif 000018
【図１７】
2014095543.tif 000019
【図１８】
2014095543.tif 000020
【図１９】
2014095543.tif 000021
【図２０】
2014095543.tif 000022
【図２１】
2014095543.tif 000023
【図２２】
2014095543.tif 000024
【図２３】
2014095543.tif 000025
【図２４】
2014095543.tif 000026
【図２５】
2014095543.tif 000027
【図２６】
2014095543.tif 000028
【図２７】
2014095543.tif 000029
【図２８】
2014095543.tif 000030
【図２９】
2014095543.tif 000031
【図３０】
2014095543.tif 000032
【図３１】
2014095543.tif 000033
【図３２】
2014095543.tif 000034
【図３３】
2014095543.tif 000035
【図３４】
2014095543.tif 000036
【図３５】
2014095543.tif 000037
【図３６】
2014095543.tif 000038
【図３７】
2014095543.tif 000039
【図３８】
2014095543.tif 000040
【図３９】
2014095543.tif 000041
【図４０】
2014095543.tif 000042
【図４１】
2014095543.tif 000043
【図４２】
2014095543.tif 000044
【図４３】
2014095543.tif 000045
【図４４】
2014095543.tif 000046
【図４５】
2014095543.tif 000047
【図４６】
2014095543.tif 000048
【図４７】
2014095543.tif 000049
【図４８】
2014095543.tif 000050
【図４９】
2014095543.tif 000051
【図５０】
2014095543.tif 000052
【図５１】
2014095543.tif 000053
【図５２】
2014095543.tif 000054
【図５３】
2014095543.tif 000055
【図５４】
2014095543.tif 000056
【図５５】
2014095543.tif 000057
【図５６】
2014095543.tif 000058
【図５７】
2014095543.tif 000059
【図５８】
2014095543.tif 000060
【図５９】
2014095543.tif 000061
【図６０】
2014095543.tif 000062
【図６１】
2014095543.tif 000063
【図６２】
2014095543.tif 000064
【図６３】
2014095543.tif 000065
【図６４】
2014095543.tif 000066
【図６５】
2014095543.tif 000067
【図６６】
2014095543.tif 000068
【図６７】
2014095543.tif 000069
【図６８】
2014095543.tif 000070
【図６９】
2014095543.tif 000071
【図７０】
2014095543.tif 000072
【図７１】
2014095543.tif 000073
【図７２】
2014095543.tif 000074
【図７３】
2014095543.tif 000075